(57)【要約】【課題】電極近傍で発生したガスが下流側に流れることを阻止することが可能な電気浸透流ポンプ及びこの電気浸透流ポンプを用いた液体供給装置を提供する。【解決手段】電気浸透流ポンプ１０Ａでは、出口側チェンバー２８にバブル隔離部材４０が出口側電極２０より離間して配置され、出口側電極２０近傍におけるポンプ容器１２の側部にガス抜き部材４２が配設され、入口側電極１８近傍におけるポンプ容器１２の側部にガス抜き部材４４が配設されている。また、入口側チェンバー２６には自己充填機構５０が配設され、この自己充填機構５０は、入口側電極１８を介して電気浸透材１６に接触する液体引込部材５２と、該液体引込部材５２側部を囲繞する囲繞部材５４とポンプ容器１２の内壁との間で形成されたエア抜きパス５６とから構成される。【選択図】図１
2006311796.tif 000002
【特許請求の範囲】
【請求項１】
流路内に設けられた電気浸透材の上流側に第１電極を配置し且つ下流側に第２電極を配置し、前記第１電極及び前記第２電極に電圧を印加したときに前記電気浸透材を介して前記流路内に駆動液体を流通させる電気浸透流ポンプにおいて、
前記流路の下流側には、前記電圧を印加したときに前記第２電極近傍に生成されるガスの前記下流側への通過を阻止し、一方で、前記駆動液体を通過可能な下流側液体通過部材が前記第２電極より下流側に配置されている
ことを特徴とする電気浸透流ポンプ。
【請求項２】
請求項１記載の電気浸透流ポンプにおいて、
前記電気浸透材と前記下流側液体通過部材との間には、前記流路より外部に前記ガスを放出する下流側ガス抜き部材が配置されている
ことを特徴とする電気浸透流ポンプ。
【請求項３】
請求項１又は２記載の電気浸透流ポンプにおいて、
前記流路の上流側には、前記電気浸透材への異物の流入を阻止し、一方で、前記電圧を印加したときに前記駆動液体を通過可能な上流側液体通過部材が前記電気浸透材より上流側に配置されている
ことを特徴とする電気浸透流ポンプ。
【請求項４】
請求項３記載の電気浸透流ポンプにおいて、
前記電気浸透材と前記上流側液体通過部材との間には、前記電圧を印加したときに前記第１電極の近傍に生成されるガスを外部に放出する上流側ガス抜き部材が配置されている
ことを特徴とする電気浸透流ポンプ。
【請求項５】
請求項１〜４のいずれか１項に記載の電気浸透流ポンプにおいて、
前記流路の上流側には、前記駆動液体を自己充填可能な上流側液体自己充填機構が前記電気浸透材又は前記第１電極と接触した状態で配置されている
ことを特徴とする電気浸透流ポンプ。
【請求項６】
請求項１〜５のいずれか１項に記載の電気浸透流ポンプにおいて、
前記流路の下流側には、前記駆動液体を自己充填可能な下流側液体自己充填機構が前記電気浸透材又は前記第２電極と接触した状態で配置されている
ことを特徴とする電気浸透流ポンプ。
【請求項７】
流路内に設けられた電気浸透材の上流側に第１電極を配置し且つ下流側に第２電極を配置し、前記第１電極及び前記第２電極に電圧を印加したときに前記電気浸透材を介して前記流路内に駆動液体を流通させる電気浸透流ポンプにおいて、
前記流路の上流側には、前記駆動液体を自己充填可能な上流側液体自己充填機構が前記電気浸透材又は前記第１電極と接触した状態で配置されている
ことを特徴とする電気浸透流ポンプ。
【請求項８】
請求項７記載の電気浸透流ポンプにおいて、
前記流路の上流側には、前記電気浸透材への異物の流入を阻止し、一方で、前記電圧を印加したときに前記駆動液体を通過可能な上流側液体通過部材が前記電気浸透材より上流側に配置されている
ことを特徴とする電気浸透流ポンプ。
【請求項９】
請求項８記載の電気浸透流ポンプにおいて、
前記電気浸透材と前記上流側液体通過部材との間には、前記電圧を印加したときに前記第１電極の近傍に生成されるガスを外部に放出する上流側ガス抜き部材が配置されている
ことを特徴とする電気浸透流ポンプ。
【請求項１０】
請求項７〜９のいずれか１項に記載の電気浸透流ポンプにおいて、
前記流路の下流側には、前記駆動液体を自己充填可能な下流側液体自己充填機構が前記電気浸透材又は前記第２電極と接触した状態で配置されている
ことを特徴とする電気浸透流ポンプ。
【請求項１１】
請求項７〜１０のいずれか１項に記載の電気浸透流ポンプにおいて、
前記流路の下流側には、前記ガスの前記下流側への通過を阻止し、一方で、前記駆動液体を通過可能な下流側液体通過部材が前記第２電極より下流側に配置されている
ことを特徴とする電気浸透流ポンプ。
【請求項１２】
請求項１１記載の電気浸透流ポンプにおいて、
前記電気浸透材と前記下流側液体通過部材との間には、前記電圧を印加したときに前記第２電極の近傍に生成されるガスを外部に放出する下流側ガス抜き部材が配置されている
ことを特徴とする電気浸透流ポンプ。
【請求項１３】
請求項１〜６、８、９、１１、１２のいずれか１項に記載の電気浸透流ポンプにおいて、
前記液体通過部材は、親水性材料からなり、
前記液体通過部材内をガスが通過するために必要なガス圧は、１［ｋＰａ］以上であり、
前記流路の方向に沿った前記液体通過部材の厚みは、３［ｍｍ］以下である
ことを特徴とする電気浸透流ポンプ。
【請求項１４】
請求項２、４、９、１２のいずれか１項に記載の電気浸透流ポンプにおいて、
前記ガス抜き部材は、前記流路の側部に形成された疎水性材料からなり、
前記ガス抜き部材に対する前記駆動液体の通過圧力が、前記駆動液体の運転時の最大圧力よりも小さく、
前記ガスの通過方向に沿った前記ガス抜き部材の厚みは、３［ｍｍ］以下である
ことを特徴とする電気浸透流ポンプ。
【請求項１５】
請求項５〜１２のいずれか１項に記載の電気浸透流ポンプにおいて、
前記液体自己充填機構は、前記流路に沿って前記電気浸透材の近傍に配置された自己充填部と、前記自己充填部の側部に形成され且つ前記自己充填部と浸透圧の異なるエア抜き部とから構成され、
前記自己充填部は、前記駆動液体を自己充填して前記電気浸透材に供給し、前記エア抜き部は、前記自己充填部及び前記エア抜き部の浸透圧差に基づいて、前記電気浸透材の上流側に残存するエアを外部に排出する
ことを特徴とする電気浸透流ポンプ。
【請求項１６】
請求項１５記載の電気浸透流ポンプにおいて、
前記自己充填部は、親水性材料からなり、前記エア抜き部は、疎水性材料からなる
ことを特徴とする電気浸透流ポンプ。
【請求項１７】
請求項１〜６、８、９、１１のいずれか１項に記載の電気浸透流ポンプにおいて、
前記流路の方向に沿った前記電気浸透材又は前記第１電極と前記上流側液体通過部材との間隔は、３［ｍｍ］以下であり、及び／又は、前記流路の方向に沿った前記電気浸透材又は前記第２電極と前記下流側液体通過部材との間隔は、３［ｍｍ］以下である
ことを特徴とする電気浸透流ポンプ。
【請求項１８】
請求項５〜１２、１５、１６のいずれか１項に記載の電気浸透流ポンプにおいて、
前記上流側液体自己充填機構と前記電気浸透材又は前記第１電極との間には、前記上流側液体自己充填機構と前記電気浸透材又は前記第１電極とに密着可能で、且つ親水性材料からなる駆動液体吸収部材が配置され、及び／又は、前記下流側液体自己充填機構と前記電気浸透材又は前記第２電極との間には、前記下流側液体自己充填機構と前記電気浸透材又は前記第２電極とに密着可能で、且つ親水性材料からなる駆動液体吸収部材が配置されている
ことを特徴とする電気浸透流ポンプ。
【請求項１９】
請求項１〜１８のいずれか１項に記載の電気浸透流ポンプにおいて、
前記流路は、前記電気浸透材、前記第１電極、前記第２電極を収容するポンプ容器内に形成され、
前記ポンプ容器における前記流路の上流側の入口と、前記流路の下流側の出口とは、同一面側に設けられている
ことを特徴とする電気浸透流ポンプ。
【請求項２０】
請求項１〜１９のいずれか１項に記載の電気浸透流ポンプと、
液体が充填された液体容器とを有し、
前記液体容器内の前記液体を前記電気浸透流ポンプを介して外部に供給する
ことを特徴とする液体供給装置。
【発明の詳細な説明】
【技術分野】
【０００１】
本発明は、バイオテクノロジーや分析化学等に用いられるマイクロ流体チップ内部の液体の駆動制御や、携帯型エレクトロニクス機器内の流体の駆動制御に好適な電気浸透流ポンプ及び、この電気浸透流ポンプを用いた液体供給装置に関する。
【背景技術】
【０００２】
電気浸透流ポンプは、電気浸透現象を用いて流体を輸送するポンプであり、例えば、キャピラリーやマイクロ流体チップの内部における流体の駆動手段として用いられている。
【０００３】
この場合、前記電気浸透現象が、数百［μｍ］以下の非常に狭幅の流路において顕著になるという特性を利用して、前記キャピラリーの直径を、例えば、数百［μｍ］以下にし、あるいは、前記マイクロ流体チップ内の流路を、例えば、数十［μｍ］以下に設定する一方で、前記キャピラリー又は前記流路内に２つの電極（正極及び負極）を配置することにより、前記キャピラリー又は前記流路自体をポンプとしている。
【０００４】
図３８に示す電気浸透流ポンプ２００では、電解質溶液が収容されたリザーバ２０２、２０４間を電解質溶液が充填されたキャピラリー２０６で連結し、直流電源２０８よりリザーバ２０２、２０４に各々配置された電極２１０、２１２に対して直流電圧を印加することにより、リザーバ２０２よりキャピラリー２０６を介してリザーバ２０４に前記電解質溶液を輸送する。
【０００５】
また、電気浸透流ポンプ２００では、（１）前記電解質溶液の駆動時に脈動が発生しない、（２）リザーバ２０２、２０４に電極２１０、２１２を挿入して直流電圧を印加するだけで前記電解質溶液の駆動が可能であるため操作性が良好である、（３）機械的な可動部分がなく構造が簡単である等の特長があることから、狭幅な流路だけで構成された数［ｍｍ］程度のさらにマクロな領域でこれらのポンプを活用することも検討されている。
【０００６】
図３９は、電気浸透流ポンプ２００（図３８参照）を小型化した電気浸透流ポンプ２１４であり、この電気浸透流ポンプ２１４は、ポンプ容器２１６内に形成された流路２１８に配設された電気浸透材料（以下ＥＯ材料ともいう。）からなる電気浸透材２２０、該電気浸透材２２０の上流側及び下流側に配置され且つ複数の孔が流路方向に形成された電極２２２、２２４で構成される。なお、上記した電極構造は、これに限定されるものではなく、例えば、ワイヤ形状で構成することも可能である。
【０００７】
この場合、前記ＥＯ材料として電気浸透現象を示す多孔質体や微細粒子、ファイバー等の充填構造を用いることにより、前述したキャピラリー２０６（図３８参照）や前記マイクロ流体チップ内の流路を用いなくても、［μＬ／ｍｉｎ］〜［ｍＬ／ｍｉｎ］あるいはそれ以上のオーダの流量の電解質溶液を輸送することが可能となる（非特許文献１〜３参照）。
【０００８】
また、直流電源２０８より電極２１０、２１２、２２２、２２４に印加される直流電圧についても、電気浸透流ポンプ２００（図３８参照）では数十［ｋＶ］必要であるのに対して、電気浸透流ポンプ２１４では、数［Ｖ］程度の直流電圧で電解質溶液を駆動することが可能である。
【０００９】
このように、低電圧で大流量且つ所望の駆動圧力の電解質溶液を輸送することが可能となれば、細径のキャピラリー２０６やマイクロ流体チップの流路を用いてポンプを構成するという制約がなくなり、電気浸透流ポンプ２１４の応用範囲を拡大することが可能となる。
【００１０】
例えば、図４０に示す本出願人が案出した電気浸透流ポンプ２３０の場合、この電気浸透流ポンプ２３０の上部には電解質溶液を収容するリザーバ２３２が形成され、その下部は、マイクロ流体チップ２３４の流路２３６に直接接続されている。ここで、数［Ｖ］〜３０［Ｖ］程度の直流電圧を電極２２２、２２４に印加すれば、数十［μＬ／ｍｉｎ］程度の最大流量で且つ１００［ｋＰａ］以上の最大圧力で前記電解質溶液をリザーバ２３２より流路２３６に供給することが可能となる。
【００１１】
【非特許文献１】米国特許出願公開第２００３／００６８２２９号明細書
【非特許文献２】米国特許第３９２３４２６号公報
【非特許文献３】米国特許出願公開第２００４／０２３４３７８号明細書
【発明の開示】
【発明が解決しようとする課題】
【００１２】
しかしながら、前述した電気浸透現象は電気化学的現象であるので、直流電源２０８より電極２２２、２２４に直流電圧を印加したときに、該電極２２２、２２４の近傍にガスが発生する。発生した前記ガスのうち電解質溶液に溶解しきれないガスは、バブルとして前記電解質溶液内に浮遊し、浮遊する前記バブルは、流路２３６内での流動の不安定性、電気浸透流ポンプ２１４の動作不良、該流路２３６の下流側で行われる各種計測や化学反応や化学分析に大きな影響を及ぼす。
【００１３】
より具体的に説明すると、電気浸透流ポンプ２１４は、一般に、電解質溶液中でのイオン電気伝導と電極２２２、２２４での電子伝導が混在する系であり、該電極２２２、２２４では電荷交換の際にガス発生を伴う。
【００１４】
例えば、図３９において、駆動液体を水溶液とし、電気浸透材２２０のゼータ電位を負電位とし、上流側の電極２２２を正極とする一方で、下流側の電極２２４を負極とした場合、直流電源２０８より電極２２２、２２４に直流電圧を印加すると、該電極２２２、２２４近傍では、電気化学反応によって下記の反応が発生する。
２Ｈ2Ｏ→２Ｈ2＋Ｏ2                              （１）
【００１５】
この結果、電極２２４（負極）では水素ガスが発生し、一方で、電極２２２（正極）では酸素ガスが発生する。電極２２４近傍での水素発生量が前記水溶液の溶解度を越える場合には、前記水素ガスによるバブルが生成され、電気浸透流ポンプ２１４の下流側の系統に流れていく。
【００１６】
この場合、電気浸透流ポンプ２１４を用いて下流側に接続されたマイクロ流体チップに対する微小流体の駆動制御を行う際に、前記マイクロ流体チップのチャンネル内に流入したバブルによって、前記微小流体の正確な位置制御が困難になる。
【００１７】
また、前記バブルは、前記系統内に配置されたセンサーやアクチュエータに対しても大きな影響を及ぼす。例えば、熱方式の流量センサーを用いて前記微小流体の流量を制御する際に、前記バブルの混入によって正確な流量計測が困難となり、この結果、前記流量センサーを用いたフィードバック制御を行うことができないという問題がある。
【００１８】
一方、電気浸透材２２０に形成された貫通孔の直径は、［μｍ］オーダ以下のサイズであるので、電極２２２近傍に発生した酸素ガスは、電気浸透材２２０を通過することなく、電極２２２あるいは電気浸透材２２０の表面を覆うことになる。この結果、電極２２２あるいは電気浸透材２２０と前記水溶液との接触領域が小さくなって、電気浸透材２２０内部の電界分布が歪んだり、電気浸透材２２０内部の電解質水溶液の流れが阻害されるので、流量低下や流量停止等のポンプ性能の劣化が発生する。
【００１９】
さらに、ポンプ流量を増やす目的で電極２２２、２２４間の電界強度を高めると、前記電界強度の増大によってバブルの発生がより顕著となる。
【００２０】
また、電気浸透流ポンプ２１４では、電気浸透現象の安定化を図る目的で、電気伝導度の高い電解質溶液（緩衝溶液等）を駆動液体として用いることが多く、直流電圧を電極２２２、２２４に印加したときに電極２２２、２２４間を流れる電流は、必然的に大きくなり、この結果、バブルの発生が促進される。
【００２１】
このように、電気浸透流ポンプ２１４では、バイオロジーや医療、さらにマイクロエレクトロニクス関連機器への応用を考慮した場合、ポンプ性能の安定性やポンプ効率の向上を図るために、前述したガス発生の問題を解決する必要がある。
【００２２】
上述したガス発生に関し、従来より、いくつかの対策が検討されている。すなわち、第１の対策としては、イオン導電性材料を電極として用い、電気浸透流ポンプ２１４外部で前記イオン導電性材料が電子導体に電気的に接続することにより、ガス発生箇所を電気浸透流ポンプ２１４の外部とするものである。この場合、電気浸透流ポンプ２１４の内部におけるガス発生の問題を回避することが可能となるが、電気浸透流ポンプ２００、２１４、２３０の外部でイオン伝導から電子伝導へ変換する必要があるので、システム全体が複雑となる。
【００２３】
第２の対策としては、電気浸透流ポンプ２１４の流路を閉ループ流路とし、触媒を用いた再結合器によって発生した酸素ガス及び水素ガスを水に変換するものである。この場合、本発明が対象としている電気浸透流ポンプ２１４の寸法は、小型の携帯機器に収容可能で且つマイクロ流体チップ上に搭載可能な数［ｍｍ］〜数［ｃｍ］のサイズであるので、前記再結合器の採用によってポンプの寸法が大型化し且つ構造が複雑化するという問題がある。
【００２４】
一方、電気浸透流ポンプ２１４の上流側には電解質溶液を電気浸透材２２０に供給するためのタンクやカートリッジが接続されている。ここで、電気浸透流ポンプ２１４を汎用機器として幅広く応用する場合には、電気浸透材２２０に電解質溶液を確実に供給して、該電気浸透材２２０より前記下流側の各機器に前記電解質溶液を排出できることが必要がある。この場合、前述した電気浸透材２２０は、浸透性を有する材料であり、駆動液体としての前記電解質溶液が上流側の表面に到達すれば、自発的に前記電解質溶液を吸収して下流側に排出する、いわゆる自己充填性能を有する。
【００２５】
しかしながら、電気浸透流ポンプ２１４では、上流側より駆動液体が流れてきても、流路２１８における電気浸透材２２０の上流側が狭幅である場合（数［ｍｍ］以下）には、前記駆動液体が電極２２２近傍の気体を追い出して完全に前記上流側を充填することは困難であり、前記気体が前記上流側に閉じ込められた状態となる。これにより、電極２２２や電気浸透材２２０の表面に前記駆動液体が到達せず、電気浸透流ポンプ２１４が動作しなかったり、ポンプ性能が低下するという問題がある。
【００２６】
本発明は、上述した課題を解決するためになされたものであり、電極近傍で発生したガスが下流側に流れることを阻止することが可能な電気浸透流ポンプを提供することを目的とする。
【００２７】
また、本発明は、電気浸透材に駆動液体を確実に供給することを可能とする電気浸透流ポンプを提供することを目的とする。
【００２８】
さらに、本発明は、より簡単な構成で液体容器内に充填された液体を外部に供給可能な液体供給装置を提供することを目的とする。
【課題を解決するための手段】
【００２９】
本発明に係る電気浸透流ポンプは、流路内に設けられた電気浸透材の上流側に第１電極を配置し且つ下流側に第２電極を配置し、前記第１電極及び前記第２電極に電圧を印加したときに前記電気浸透材を介して前記流路内に駆動液体を流通させる電気浸透流ポンプにおいて、前記流路の下流側には、前記電圧を印加したときに前記第２電極近傍に生成されるガスの前記下流側への通過を阻止し、一方で、前記駆動液体を通過可能な下流側液体通過部材が前記第２電極より下流側に配置されていることを特徴とする。
【００３０】
上記した構成によれば、前記電圧の印加によって前記第２電極近傍に前記ガスが生成しても、前記電気浸透材の下流側に配置された前記下流側液体通過部材は、前記駆動液体を通過させ、一方で、前記ガスの通過を阻止する。これにより、前記下流側に接続されたマイクロ流体チップ等の各種流体機器に前記ガスが流入することを阻止することが可能となり、例えば、前記流体機器内を通過する液体の位置制御を正確に行うことが可能となる。
【００３１】
ここで、前記電気浸透材と前記下流側液体通過部材との間には、前記流路より外部に前記ガスを放出する下流側ガス抜き部材が配置されていることが好ましい。この場合、前記第２電極近傍で発生した前記ガスを前記下流側ガス抜き部材を介して外部に排出するので、前記電気浸透流ポンプを長時間運転した際に、前記第２電極や前記電気浸透材へのバブルの付着によるポンプ性能の低下を抑制することができる。一方、前記第１電極近傍で生成されたガスの一部が、前記電気浸透材を通過しても、前記下流側ガス抜き部材を介して外部に排出することができる。
【００３２】
また、前記流路の上流側には、前記電気浸透材への異物の流入を阻止し、一方で、前記電圧を印加したときに前記駆動液体を通過可能な上流側液体通過部材が前記電気浸透材より上流側に配置されていることが好ましい。これにより、前記電気浸透材表面への前記異物やバブル等の付着が阻止されるので、前記電気浸透流ポンプのポンプ性能を確保することが可能となる。
【００３３】
さらに、前記電気浸透材と前記上流側液体通過部材との間には、前記電圧を印加したときに前記第１電極の近傍に生成されるガスを外部に放出する上流側ガス抜き部材が配置されていることが好ましい。これにより、前記電気浸透材の上流側における前記ガスの付着を阻止することができ、前記電気浸透流ポンプのポンプ性能の劣化を抑制することができる。
【００３４】
さらにまた、前記流路の上流側には、前記駆動液体を自己充填可能な上流側液体自己充填機構が前記電気浸透材又は前記第１電極と接触した状態で配置されていることが好ましい。これにより、前記駆動液体を前記電気浸透材に確実に供給することが可能となる。
【００３５】
さらにまた、前記流路の下流側には、前記駆動液体を自己充填可能な下流側液体自己充填機構が前記電気浸透材又は前記第２電極と接触した状態で配置されていることが好ましい。これにより、前記電気浸透材より排出された前記駆動液体を、前記流路の下流側に接続された各種流体機器に対して確実に供給することが可能となる。
【００３６】
なお、前記上流側液体自己充填機構は、前記電気浸透材及び前記第１電極と接触した状態で配置されている場合でも上述した効果が得られる。また、前記下流側液体自己充填機構は、前記電気浸透材及び前記第２電極と接触した状態で配置されている場合でも上述した効果が得られる。
【００３７】
また、本発明に係る電気浸透流ポンプは、流路内に設けられた電気浸透材の上流側に第１電極を配置し且つ下流側に第２電極を配置し、前記第１電極及び前記第２電極に電圧を印加したときに前記電気浸透材を介して前記流路内に駆動液体を流通させる電気浸透流ポンプにおいて、前記流路の上流側には、前記駆動液体を自己充填可能な上流側液体自己充填機構が前記電気浸透材又は前記第１電極と接触した状態で配置されていることを特徴とする。
【００３８】
上記した構成によれば、前記上流側液体自己充填機構と前記電気浸透材とが接触しているので、外部より前記上流側液体自己充填機構に前記駆動液体を充填すると、充填された前記駆動液体が前記上流側液体自己充填機構より前記電気浸透材の内部に速やかに浸透する。この状態で、前記電圧を前記各電極に印加すると、前記電気浸透材より前記流路の下流側に前記駆動液体を確実に排出することが可能となる。この結果、前記第１電極近傍に気体が存在する場合であっても、前記電気浸透流ポンプの自己充填性を確保することが可能となる。
【００３９】
ここで、前記流路の上流側には、前記電気浸透材への異物の流入を阻止し、一方で、前記電圧を印加したときに前記駆動液体を通過可能な上流側液体通過部材が前記電気浸透材より上流側に配置されていることが好ましい。これにより、前記電気浸透材表面への前記異物やバブル等の付着が阻止され、前記電気浸透流ポンプのポンプ性能を確保することが可能となる。
【００４０】
また、前記電気浸透材と前記上流側液体通過部材との間には、前記電圧を印加したときに前記第１電極の近傍に生成されるガスを外部に放出する上流側ガス抜き部材が配置されていることが好ましい。これにより、前記電気浸透材の上流側における前記ガスの付着を阻止することができ、前記電気浸透流ポンプのポンプ性能の劣化を防止することが可能となる。
【００４１】
さらに、前記流路の下流側には、前記駆動液体を自己充填可能な下流側液体自己充填機構が前記電気浸透材又は前記第２電極と接触した状態で配置されていることが好ましい。これにより、前記電気浸透材より排出された前記駆動液体を、前記下流側液体自己充填機構を介して前記電気浸透流ポンプの下流側に接続された各種流体機器に確実に供給することが可能となる。この場合、上流側と下流側とに液体自己充填機構がそれぞれ配置されているので、上流側から下流側への前記駆動液体の排出や、下流側から上流側への前記駆動液体の吸入を効率よく行うことができる。
【００４２】
なお、前記上流側液体自己充填機構は、前記電気浸透材及び前記第１電極と接触した状態で配置されている場合でも上述した効果が得られる。また、前記下流側液体自己充填機構は、前記電気浸透材及び前記第２電極と接触した状態で配置されている場合でも上述した効果が得られる。
【００４３】
さらにまた、前記流路の下流側には、前記ガスの前記下流側への通過を阻止し、一方で、前記駆動液体を通過可能な下流側液体通過部材が前記第２電極より下流側に配置されていることが好ましい。これにより、前記電圧の印加によって前記第２電極近傍に前記ガスが生成しても、前記電気浸透材の下流側に配置された前記下流側液体通過部材は、前記駆動液体を通過させ、一方で、前記ガスの通過を阻止する。この結果、前記下流側に接続されたマイクロ流体チップ等の各種流体機器に前記ガスが流入することを防止することが可能となり、例えば、前記流体機器内を通過する液体の位置制御を正確に行うことが可能となる。
【００４４】
さらにまた、前記電気浸透材と前記下流側液体通過部材との間には、前記電圧を印加したときに前記第２電極の近傍に生成されるガスを外部に放出する下流側ガス抜き部材が配置されていることが好ましい。この場合、前記第２電極近傍で発生した前記ガスを前記下流側ガス抜き部材を介して外部に排出するので、前記電気浸透流ポンプを長時間運転した際に、前記第２電極や前記電気浸透材へのバブルの付着によるポンプ性能の低下を抑制することができる。一方、前記第１電極近傍で生成されたガスの一部が、前記電気浸透材を通過しても、前記下流側ガス抜き部材を介して外部に排出することができる。
【００４５】
そして、上述した液体通過部材は、親水性材料からなり、前記液体通過部材内をガスが通過するために必要なガス圧は、１［ｋＰａ］以上であり、前記流路の方向に沿った前記液体通過部材の厚みは、３［ｍｍ］以下であることが好ましい。
【００４６】
また、前記ガス抜き部材は、前記流路の側部に形成された疎水性材料からなり、前記ガス抜き部材に対する前記駆動液体の通過圧力が、前記駆動液体の運転時の最大圧力よりも小さく、前記ガスの通過方向に沿った前記ガス抜き部材の厚みは、３［ｍｍ］以下であることが好ましい。
【００４７】
さらに、前記液体自己充填機構は、前記流路に沿って前記電気浸透材の近傍に配置された自己充填部と、前記自己充填部の側部に形成され且つ前記自己充填部と浸透圧の異なるエア抜き部とから構成され、前記自己充填部は、前記駆動液体を自己充填して前記電気浸透材に供給し、前記エア抜き部は、前記自己充填部及び前記エア抜き部の浸透圧差に基づいて、前記電気浸透材の上流側に残存するエアを外部に排出することが好ましい。
【００４８】
さらにまた、前記自己充填部は、親水性材料からなり、前記エア抜き部は、疎水性材料からなることが好ましい。
【００４９】
さらにまた、前記流路の方向に沿った前記電気浸透材又は前記第１電極と前記上流側液体通過部材との間隔は、３［ｍｍ］以下であり、及び／又は、前記流路の方向に沿った前記電気浸透材又は前記第２電極と前記下流側液体通過部材との間隔は、３［ｍｍ］以下であることが好ましい。すなわち、前記電気浸透材又は前記第１電極と前記上流側液体通過部材との間隔、及び／又は、前記電気浸透材又は前記第２電極と前記下流側液体通過部材との間隔は、前記電気浸透流ポンプの特性上、重要なパラメータであるが、表面張力が重力に比べて支配的となるときの前記間隔が３［ｍｍ］程度であり、一方で、前記流路における流路抵抗が著しく大となる前記間隔が１［μｍ］未満程度であるので、３［ｍｍ］を上限値とし、１［μｍ］を下限値とした所定の範囲内（１［μｍ］〜３［ｍｍ］）で前記間隔を適宜設定することが前記電気浸透流ポンプの特性上好ましいからである。
【００５０】
特に、前記電気浸透材又は前記第１電極に対向して前記上流側液体通過部材や前記上流側ガス抜き部材を配置した場合には、前記電気浸透材又は前記第１電極と前記上流側液体通過部材との間隔や、前記電気浸透材又は前記第１電極と前記上流側液体通過部材との間隔を、上述した範囲内に設定することが望ましい。さらに、前記電気浸透材又は前記第２電極に対向して前記下流側液体通過部材や前記下流側ガス抜き部材を配置した場合にも、前記電気浸透材又は前記第２電極と前記下流側液体通過部材との間隔や、前記電気浸透材又は前記第２電極と前記下流側液体通過部材との間隔を、上述した範囲内に設定することが望ましい。
【００５１】
さらに、前記上流側液体自己充填機構と前記電気浸透材又は前記第１電極との間には、前記上流側液体自己充填機構と前記電気浸透材又は前記第１電極とに密着可能で、且つ親水性材料からなる駆動液体吸収部材が配置され、及び／又は、前記下流側液体自己充填機構と前記電気浸透材又は前記第２電極との間には、前記下流側液体自己充填機構と前記電気浸透材又は前記第２電極とに密着可能で、且つ親水性材料からなる駆動液体吸収部材が配置されていることが好ましい。
【００５２】
これにより、剛性のある材料を用いて前記上流側液体自己充填機構を構成した場合に、前記上流側液体自己充填機構の表面と前記電気浸透材又は前記第１電極の表面とに対して前記駆動液体吸収部材が密着するので、前記上流側液体自己充填機構に自己充填された前記駆動液体を、前記駆動液体吸収部材で効率よく吸収して、前記電気浸透材に速やかに供給することが可能となる。この場合、前記駆動液体吸収部材として柔軟性及び保水性を有する吸水材を採用し、この駆動液体吸収部材を前記上流側液体自己充填機構と前記電気浸透材又は前記第１電極とで挟み込むことが前記駆動液体吸収部材の密着性を高める上で望ましい。また、前記駆動液体吸収部材は、前記上流側液体自己充填機構と前記電気浸透材又は前記第１電極とに対するクッションとしての機能も果たすので、組み立て性が向上する。
【００５３】
また、前記下流側液体自己充填機構と前記電気浸透材又は前記第２電極との間には、前記駆動液体吸収部材を配置した場合にも、剛性のある材料を用いて前記下流側液体自己充填機構を構成した際に、前記下流側液体自己充填機構の表面と前記電気浸透材又は前記第２電極の表面とに対して前記駆動液体吸収部材が密着するので、前記下流側液体自己充填機構に自己充填された前記駆動液体を、前記駆動液体吸収部材で効率よく吸収して、前記電気浸透材に速やかに供給することが可能となる。この場合も、前記駆動液体吸収部材として柔軟性及び保水性を有する吸水材を採用し、この駆動液体吸収部材を前記下流側液体自己充填機構と前記電気浸透材又は前記第２電極とで挟み込むことが前記駆動液体吸収部材の密着性を高める上で望ましい。また、前記駆動液体吸収部材は、前記下流側液体自己充填機構と前記電気浸透材又は前記第２電極とに対するクッションとしての機能も果たすので、組み立て性が向上する。
【００５４】
またさらに、上述した各発明において、前記流路は、前記電気浸透材、前記第１電極、前記第２電極を収容するポンプ容器内に形成され、前記ポンプ容器における前記流路の上流側の入口と、前記流路の下流側の出口とは、同一面側に設けられていることが好ましい。これにより、基板等の設置面に対する前記電気浸透流ポンプの取付性が向上すると共に、ポンプ全体の高さを低くすることができる。また、前記同一面に前記入口と前記出口とを設けることにより、その反対面に前記各ガス抜き部材を設けることも可能である。従って、本発明に係る電気浸透流ポンプは、例えば、エレクトロニクス機器における平面実装用の小型ポンプとして好適である。
【００５５】
さらに、本発明に係る液体供給装置は、上述した電気浸透流ポンプと、液体が充填された液体容器とを有し、前記液体容器内の前記液体を前記電気浸透流ポンプを介して外部に供給することを特徴とする。これにより、前記電気浸透流ポンプの第１電極及び第２電極に電圧を印加すれば、前記液体容器に充填された前記液体を前記電気浸透流ポンプを介して外部に供給することができるので、簡単な構成で前記液体を供給することが可能となる。特に、前記液体を前記上流側液体自己充填機構にて自己充填した状態で、前記第１電極及び前記第２電極に電圧を印加すれば、前記上流側液体自己充填機構から前記電気浸透材を介して外部に前記液体を供給することができるので、効率よく前記液体を供給することが可能となる。なお、この液体供給装置では、前記液体をメタノールや水で希釈したメタノール水とすれば、燃料電池システムに前記メタノール又は前記メタノール水を供給する液体燃料供給用カートリッジとして好適である。
【発明の効果】
【００５６】
本発明に係る電気浸透流ポンプによれば、電圧の印加によって第２電極近傍にガスが生成しても、電気浸透材の下流側に配置された下流側液体通過部材は、駆動液体を通過させ、一方で、前記ガスの通過を阻止する。これにより、前記下流側に接続されたマイクロ流体チップ等の各種流体機器に前記ガスが流入することを阻止することが可能となり、例えば、前記流体機器内を通過する液体の位置制御を正確に行うことが可能となる。
【００５７】
また、本発明に係る電気浸透流ポンプによれば、上流側液体自己充填機構と電気浸透材とが接触しているので、外部より前記上流側液体自己充填機構に駆動液体を充填すると、充填された前記駆動液体が前記上流側液体自己充填機構より前記電気浸透材の内部に速やかに浸透する。この状態で、電圧を各電極に印加すると、前記電気浸透材より流路の下流側に前記駆動液体を確実に排出することが可能となる。この結果、第１電極近傍に気体が存在する場合であっても、前記電気浸透流ポンプの自己充填性を確保することが可能となる。
【００５８】
さらに、本発明に係る液体供給装置によれば、電気浸透流ポンプの第１電極及び第２電極に電圧を印加すれば、液体容器に充填された液体を前記電気浸透流ポンプを介して外部に供給することができるので、簡単な構成で前記液体を供給することが可能となる。
【発明を実施するための最良の形態】
【００５９】
本発明に係る電気浸透流ポンプ及びこの電気浸透流ポンプを用いた液体供給装置について好適な実施の形態を挙げ、添付の図面を参照しながら以下詳細に説明する。
【００６０】
第１実施形態に係る電気浸透流ポンプ１０Ａは、バイオテクノロジーや分析化学において用いられるマイクロ流体チップや小型エレクトロニクス機器に搭載可能な数［ｍｍ］〜数［ｃｍ］程度のサイズの小型ポンプであり、図１に示すように、基本的には、ポンプ容器１２と、該ポンプ容器１２内に形成された流路１４に配置された電気浸透材１６、入口側電極（第１電極）１８及び出口側電極（第２電極）２０とを有する。
【００６１】
ポンプ容器１２は、流路１４を通過する電解質溶液等の駆動液体に対して耐液性を有するプラスチック材料あるいは、セラミックス、ガラス、表面が電気絶縁処理された金属材料からなり、電気浸透材１６、入口側電極１８及び出口側電極２０が配置される大径部分２２と、図示しないマイクロ流体チップ等の流体機器に接続可能な小径部分２４とで構成される。なお、前記電解質溶液は、図１の右側（大径部分２２側）から左側（小径部分２４）の方向に流路１４内を通過する。
【００６２】
電気浸透材１６は、流路１４を仕切るように配設され、この結果、該流路１４における電気浸透材１６の上流側（図１の右側）は、入口側チェンバー２６として形成され、一方で、その下流側は、出口側チェンバー２８として形成される。また、電気浸透材１６は、多孔質セラミックスやガラス繊維等からなり、入口側チェンバー２６に駆動液体が供給された際に、該駆動液体を吸収して内部に浸透し、さらに、浸透した前記駆動液体を出口側チェンバー２８に排出可能な親水性を有する部材である。
【００６３】
入口側電極１８は、入口側チェンバー２６内において電気浸透材１６の表面と接触して配置され、複数の孔３０が流路１４の軸線方向に沿って形成されている。一方、出口側電極２０は、出口側チェンバー２８内において電気浸透材１６の表面と接触して配置され、複数の孔３２が流路１４の軸線方向に沿って形成されている。そして、入口側電極１８と出口側電極２０とは直流電源３４と電気的に接続されている。
【００６４】
図１では、電気浸透材１６が負に帯電すると仮定して入口側電極１８を正極とし、一方で、出口側電極２０を負極としているが、電気浸透材１６が正に帯電する場合には、これに代えて、該入口側電極１８を負極とし、一方で、出口側電極２０を正極としてもよいことは勿論である。また、図１では、電気浸透材１６の表面に電極１８、２０が配置されているが、このような配置に限定されることはなく、例えば、電極１８、２０は、電気浸透材１６近傍において非接触の状態で配置されていても構わない。さらに、図１では、直流電源３４と入口側電極１８及び出口側電極２０が電気的に各々接続され、各電極１８、２０に直流電圧が印加されているが、各電極１８、２０に印加される電圧は直流電圧に限定されることはなく、例えば、直流電源３４に代えて図示しないパルス電源を配置し、該パルス電源より各電極１８、２０にパルス電圧を印加してもよいことは勿論である。
【００６５】
ここで、入口側チェンバー２６に供給された駆動液体が孔３０を介して電気浸透材１６に浸透した状態で、直流電源３４より各電極１８、２０に直流電圧を印加すると、電気浸透材１６内の前記駆動液体が入口側電極１８より出口側電極２０の方向に移動し、孔３２を介して出口側チェンバー２８に排出される。
【００６６】
また、電気浸透流ポンプ１０Ａでは、出口側チェンバー２８にバブル隔離部材（下流側液体通過部材）４０が出口側電極２０より下流側に配置され、出口側電極２０近傍におけるポンプ容器１２の側部にはガス抜き部材（下流側ガス抜き部材）４２が配設されている。さらに、入口側電極１８近傍におけるポンプ容器１２の側部にはガス抜き部材（上流側ガス抜き部材）４４が配設されている。
【００６７】
バブル隔離部材４０は、例えば、ガラス繊維や親水性ナイロン（登録商標）等のポリアミド系合成高分子材料からなる親水性を有する膜であり、電気浸透材１６より孔３２を介して下流側に排出された駆動液体を通過可能である一方で、出口側チェンバー２８内のガスや異物の通過を阻止する。また、ガス抜き部材４２は、四フッ化エチレン樹脂（ＰＴＦＥ）等の疎水性且つガス透過性を有する膜やシートからなり、出口側チェンバー２８内のガスを外部に排出する。さらに、ガス抜き部材４４は、ガス抜き部材４２と同様の疎水性且つガス透過性を有する膜からなり、入口側チェンバー２６内のガスを外部に排出する。
【００６８】
電気浸透流ポンプ１０Ａでは、電気浸透材１６に電解質溶液（水溶液）等の駆動液体が浸透した状態で、直流電源３４より各電極１８、２０に直流電圧を印加すると、前記駆動液体の各電極１８、２０近傍における電気化学反応によって、出口側電極２０近傍では水素ガスが発生し、一方で、入口側電極１８近傍では酸素ガスが発生する。例えば、電極１８、２０間を流れる電流が１［ｍＡ］であれば、水素ガスの発生量は、７．８６［μＬ／ｍｉｎ］となり、酸素ガスの発生量は、３．９３［μＬ／ｍｉｎ］となる。
【００６９】
ここで、前記水溶液（あるいは水）の温度が２０［℃］における酸素ガスの溶解度は０．０３１であり、水素ガスの溶解度は０．０１８であるので、電気浸透流ポンプ１０Ａの駆動時における前記水溶液に対する酸素ガス及び水素ガスの溶解量が０である場合でも、前記水溶液流量に対するガス発生量（１気圧における体積）の比率が３．１［％］（酸素）及び１．８［％］（水素）を越えると、前記水溶液中のガス濃度が溶解度を越え、この結果、入口側電極１８近傍の入口側チェンバー２６に酸素ガスのバブルが発生し、一方で、電極２０近傍の出口側チェンバー２８に水素ガスのバブルが発生する。より具体的な数値を示すと、ポンプ流量が１００［μＬ／ｍｉｎ］であれば、前記入口側電極１８では、７９０［μＡ］以上の電流が流れると酸素ガスのバブルが発生し、一方で、前記出口側電極２０では、２２９［μＡ］以上の電流が流れると、水素ガスのバブルが発生する。
【００７０】
このようなバブルが電極１８、２０や電気浸透材１６の表面に付着すると、電気浸透材１６に対する水溶液の供給や排出が妨げられ、さらに、電気浸透材１６周辺の電界分布が歪み、この結果、電気浸透流ポンプ１０Ａのポンプ性能が低下する。また、前記バブルが流路１４の下流側に流れると、前記下流側に接続された図示しないマイクロ流体チップ等の各種流体機器に前記バブルが流入し、この結果、該電気浸透流ポンプ１０Ａによる前記流体機器内部の微小流体の適切な駆動制御を行うことができないか、あるいは、下流側での各種センサの動作に悪影響を及ぼす。
【００７１】
そこで、電気浸透流ポンプ１０Ａでは、バブル隔離部材４０の最低バブルポイントとガス抜き部材４２、４４の最低ウォーターブレークスルーポイントとを、前記水溶液の駆動圧力と比較して十分に大きく設定している。ここで、前記最低バブルポイントとは、前記水溶液で濡れたバブル隔離部材４０に対して前述したバブル（前記水素ガス又は前記酸素ガス）が通り抜けるために必要な最低の圧力値であり、前記バブルは、取り扱う駆動液体の種類によって前記水素ガス又は前記酸素ガスと異なってくることは勿論である。また、最低ウォーターブレークスルーポイントとは、各チェンバー２６、２８よりガス抜き部材４２、４４を介して外部に前記水溶液が漏出するために必要な最低の圧力値である。
【００７２】
この場合、ポンプ運転時には、出口側チェンバー２８内の圧力は、外部と比較して数［ｋＰａ］から数百［ｋＰａ］程度の差圧（正圧）を生じている。このため、出口側チェンバー２８内に蓄積したバブルはガス抜き部材４２を介して電気浸透流ポンプ１０Ａの外部に排出される。一方、バブル隔離部材４０を前記水溶液が通過する際に若干の圧力損失が発生するが、その流路抵抗を適宜設定することにより、前記圧力損失を抑制することが可能である。
【００７３】
これにより、電気浸透流ポンプ１０Ａの下流側に前述したバブルを通過させることなく、ガス抜き部材４２、４４よりポンプ外部に排出することが可能となる。
【００７４】
そして、バブル隔離部材４０では、ポンプ運転時の出口側圧力とその最低バブルポイント及び流路抵抗との関係において、（１）最低バブルポイントが電気浸透材１６から排出される水溶液の最大圧力（電気浸透流ポンプ１０Ａの出口側最大圧力）よりも大きいこと（最低バブルポイント＞水溶液の最大圧力）、（２）前記水溶液の最大流量におけるバブル隔離部材４０での圧力損失が電気浸透材１６から排出される水溶液の最大圧力と比較して十分に小さいこと（水溶液の圧力損失≪水溶液の最大圧力）の２つの条件を満足するように設計する。
【００７５】
ここで、具体的な構成例を示す。
【００７６】
バブル隔離部材４０として親水性ナイロン（登録商標）の膜（孔径：０．２［μｍ］、膜厚：１２７［μｍ］）を使用する。その最低バブルポイントは、３４０［ｋＰａ］、前記水溶液の通過量は、１７０［μｌ／（ｍｉｎ・ｃｍ2・ｋＰａ）］である。ガス抜き部材４２、４４としてＰＴＦＥ膜（孔径：０．２［μｍ］、膜厚：１３９［μｍ］）を使用する。そのウォーターブレークスルーポイントは、２８０［ｋＰａ］、ガス通過量は、２８［ｍｌ／（ｍｉｎ・ｃｍ2・ｋＰａ）］である。
【００７７】
次に、バブル隔離部材４０による前記水溶液の圧力損失及び水素ガスの排出に必要なガス抜き部材４２の断面積について具体的に説明する。
【００７８】
ここで、電気浸透材１６の直径を７［ｍｍ］、前記水溶液の流量を２００［μＬ／ｍｉｎ］、水素ガスの発生量を１００［μＬ／ｍｉｎ］、さらに、出口側チェンバー２８内の圧力を５０［ｋＰａ］と仮定すれば、バブル隔離部材４０による前記水溶液の圧力損失は３［ｋＰａ］となり、一方で、ガス抜き部材４２の断面積は０．００７［ｍｍ2］となる。
【００７９】
このように、電気浸透流ポンプ１０Ａにおける前記水溶液の圧力損失は数［ｋＰａ］程度であり、電気浸透流ポンプの一般的なポンプ特性から考えても特に問題の無い数値である。
【００８０】
また、ガス抜き部材４２は、０．００７［ｍｍ2］程度の通過断面積で水素ガスを外部に排出することが可能である。この断面積が小さければ、電気浸透流ポンプ１０Ａ内部からの水溶液の蒸発による損失を抑制することができる。上述した具体例では、バブル隔離部材４０及びガス抜き部材４２の厚さは共に１５０［μｍ］程度以下であるので、これらの部材を増設しても電気浸透流ポンプ１０Ａのサイズはほとんど変化しない。
【００８１】
さらに、バブル隔離部材４０と電気浸透材１６とポンプ容器１２の内壁とによって形成された空間（出力側チェンバー２８）の直径が２〜３［ｍｍ］程度以下になると、前記水溶液に作用する力は、重力よりも表面張力が支配的となる。これにより、電気浸透流ポンプ１０Ａは、どのような姿勢になっても前記重力の影響を受けないオリエンテーションフリーの状態とすることができる。
【００８２】
さらにまた、バブル隔離部材４０は、電気浸透流ポンプ１０Ａやマイクロ流体チップを含む系統の下流側における前記水溶液の圧力が低下した際に、外部よりガス抜き部材４２、４４を介して入口側チェンバー２６や出口側チェンバー２８にエアが逆流することを防止したり、電気浸透流ポンプ１０Ａに流入した異物を下流側に排出することを防止する役割を果たす。
【００８３】
電気浸透流ポンプ１０Ａは、前述したように、図示しないマイクロ流体チップや小型エレクトロニクス機器に搭載可能な小型ポンプであり、入口側チェンバー２６の内径は、数［ｍｍ］程度以下である。そのため、流路１４を流通する電解質溶液には表面張力による力が大きく作用するので、単に、電気浸透流ポンプ１０Ａの入口側（図１の右側）に前記電解質溶液の供給ラインを接続したり、あるいは、予め電解質溶液が充填されたカートリッジやタンクを接続しただけでは、前記電解質溶液の供給時に入口側チェンバー２６にエアが残ってしまい、電気浸透流ポンプ１０Ａを正常に起動することができないことが想定される。
【００８４】
そこで、電気浸透流ポンプ１０Ａでは、入口側チェンバー２６に自己充填機構５０を配設している。この自己充填機構５０は、先端部が入口側電極１８を介して電気浸透材１６に接触する液体引込部材（自己充填部）５２と、該液体引込部材５２側部を囲繞する囲繞部材５４とポンプ容器１２の内壁との間で形成されたエア抜きパス（エア抜き部）５６とから構成される。
【００８５】
液体引込部材５２は、電解質溶液に対する透過性能が大きな多孔質セラミックスやガラス繊維等の親水性の材料からなる。また、ポンプ容器１２と同じ材料からなる囲繞部材５４は、液体引込部材５２がガラス繊維からなる場合、該ガラス繊維の形状が崩れないようにするための側壁であり、該液体引込部材５２が多孔質セラミックのようにポンプ容器１２内に配置しても形状が崩れない材料では不要である。
【００８６】
エア抜きパス５６は、液体引込部材５２と比較して前記電解質溶液の浸透圧力が小さな通路として構成され、単なるガス抜きの通路であっても、より浸透性の低い親水性材料や疎水性を有する材料を充填しても構わない。
【００８７】
自己充填機構５０では、電気浸透流ポンプ１０Ａの起動時に、外部より液体引込部材５２に駆動液体を供給する。これにより、供給された前記駆動液体は、液体引込部材５２内を浸透して電極１８を介して該液体引込部材５２に接触する電気浸透材１６の表面を濡らす。この結果、前記駆動液体は毛細管現象によって該電気浸透材１６の内部に自発的に浸透し、出口側チェンバー２８側の出口側電極２０表面にまで浸透する。これにより、電気浸透流ポンプ１０Ａの起動準備が完了する。
【００８８】
そして、自己充填機構５０は、（１）電気浸透材１６表面を前記駆動液体で濡らすことができること、（２）入口側チェンバー２６内部のエアを外部に排出することができること、（３）（１）及び（２）に要する時間を電気浸透流ポンプ１０Ａに要求される起動時間以内とすることの３つの条件を満足することが必要である。
【００８９】
図２は、自己充填機構５０から電気浸透材１６に対する駆動液体の供給原理を説明するための概略断面図であり、ポンプ容器１２、入口側電極１８、出口側電極２０及び囲繞部材４６の図示を省略したものである。なお、ここでは、液体引込部材５２及びエア抜きパス５６の基端部分が、駆動液体としての電解質溶液６０で満たされた容器６２内に浸漬している場合について説明する。
【００９０】
液体引込部材５２及びエア抜きパス５６を構成する多孔質媒体における電解質溶液６０の浸透特性は、前記多孔質媒体の表面エネルギーγSO、多孔質媒体と電解質溶液６０との界面における表面エネルギーγSL、電解質溶液６０の表面エネルギーγ及び前記多孔質媒体の内部表面積によって決定される。ここでは、前記多孔質媒体において、電解質溶液６０の液面より電気浸透材１６に向かう方向に複数の孔（直径Ｄ）が一様な密度で形成されているとすれば、液体引込部材５２における電解質溶液６０の浸透圧力Ｐは、単位長当りの表面エネルギーの減少量によって決まり、（２）式で与えられる。
Ｐ＝４γ×（γSL−γSO）／Ｄ＝４γｃｏｓθ／Ｄ        （２）
【００９１】
ここで、ｃｏｓθ＝（γSL−γSO）である。
【００９２】
水（電解質溶液）の表面張力をγ＝７３［ｍＮ／ｍ］とし、Ｄ＝１０［μｍ］とし、θ＝０とすれば、その浸透圧力Ｐは、２８［ｋＰａ］程度になる。また、Ｄ＝１００μｍとすれば、Ｐ＝３［ｋＰａ］となる。
【００９３】
図２において、入口側チェンバー２６（図１参照）に配置された液体引込部材５２をＤ＝１０［μｍ］の孔を有する多孔質体で構成し、一方で、エア抜きパス５６をＤ＝１００［μｍ］の孔を有する多孔質体で構成して、これらの多孔質体の下部を電解質溶液６０で充填された容器６２に浸漬する。
【００９４】
この場合、液体引込部材５２及びエア抜きパス５６には電解質溶液６０が上方に向かって浸透し、浸透によって液体引込部材５２及びエア抜きパス５６内の圧力が上昇する。ところが、液体引込部材５２の浸透圧力（２８［ｋＰａ］）とエア抜きパス５６の浸透圧力（３［ｋＰａ］）との差異によって、液体引込部材５２を浸透する電解質溶液６０が、エア抜きパス５６内を浸透する電解質溶液６０をエアを介して押し出す形となり、先に電気浸透材１６の表面に到達する。結果として、エア抜きパス５６には電気浸透材１６表面近傍のエアが流入して、エア抜きパス５６内部の圧力は３ｋＰａ程度の正圧になる。
【００９５】
従って、自己充填機構５０では、自己充填性能及びエアの排出の観点より、（１）浸透圧力Ｐの大きな液体引込部材５２により電気浸透材１６における入口側チェンバー２６側の表面に電解質溶液６０が到達すること、（２）予め入口側チェンバー２６内部に存在するエアを浸透圧力Ｐ（３［ｋＰａ］）の小さなエア抜きパス５６から入口側チェンバー２６外部に排出すること、（３）エア抜きパス５６内部を小さい浸透圧力Ｐ（３［ｋＰａ］）で決まる正圧が加わった状態とすることの３つの条件を兼ね備えている。
【００９６】
この場合、（１）によって電気浸透材１６に電解質溶液６０を供給することが可能となり、電気浸透流ポンプ１０Ａの運転開始時に電気浸透材１６表面に対して継続的に電解質溶液６０を供給できる。また、（２）によって入口側チェンバー２６内部のエアで電解質溶液６０の浸透が阻止されることなく電気浸透材１６表面を濡らすことができる。さらに、（３）によって入口側チェンバー２６で発生するガス（電極１８近傍で発生する酸素ガスを含む）をポンプ容器１２外部に排出するために必要な圧力を自己充填機構５０により作り出すことが可能となり、電極１８で発生した酸素ガスをガス抜き部材４４から外部に排出するために必要な圧力が自己充填時に作り出せる。
【００９７】
電気浸透流ポンプ１０Ａの起動時における自己充填機構５０の動作速さについて説明すると、電気浸透材１６の入口側チェンバー２６側の表面が電解質溶液６０で濡れるまでの時間がその目安となる。
【００９８】
ここで、毛細管としての液体引込部材５２内の電解質溶液６０の運動は、表面張力による駆動力Ｆ（Ｆ＝２πＲγｃｏｓθ、Ｒ：液体引込部材５２の直径）、前記毛細管内の粘性摩擦項及び重力により生じる圧力により決まる。前記毛細管中の浸透距離が小さい場合や水平におかれた場合等、重力による圧力項が表面張力による駆動力と比較して十分に小さい場合（浸透圧力を十分に大きく設計した場合）には、重力の項を無視できるので、液体引込部材５２の内部における電解質溶液６０の移動距離Ｚと移動時間ｔとの関係は（３）式で与えられる。
Ｚ2＝γＲｃｏｓθ×ｔ／（２η）            （３）
【００９９】
ここで、ｔは、液体引込部材５２の内部における電解質溶液６０の移動時間であり、ηは、液体引込部材５２の粘性係数である。
【０１００】
（３）式において、Ｚ＝２０［ｍｍ］（電気浸透流ポンプ１０Ａの上流側の接続口から電気浸透材１６表面までの距離とする。）、γ＝７３［ｍＮ／ｍ］、Ｒ＝１０［μｍ］、θ＝０、η＝０．００１［Ｐａ・ｓ］とすれば、ｔ≒１［ｓ］となる。また、Ｒを小さくするとｔが長くなるので、自己充填機構５０の動作速さと液体引込部材５２の浸透圧力との間にはトレードオフが必要である。
【０１０１】
第１実施形態に係る電気浸透流ポンプ１０Ａは、以上のように構成されるものであり、次に、電気浸透流ポンプ１０Ａの作用効果について、図１及び図２を参照しながら説明する。
【０１０２】
先ず、電気浸透流ポンプ１０Ａの上流側と図示しないタンク又はカートリッジとを接続し、前記タンク又は前記カートリッジより自己充填機構５０に電解質溶液６０を供給する。この場合、液体引込部材５２の上流側はポンプ容器１２よりも突出しているので、前記タンク又は前記カートリッジと電気浸透流ポンプ１０Ａの上流側とを連結した際に、液体引込部材５２の上流側は、前記タンク又は前記カートリッジの電解質溶液６０に浸漬される。
【０１０３】
これにより、電解質溶液６０は、液体引込部材５２の内部に浸透し、該液体引込部材５２の下流側に進行すると共に、エア抜きパス５６にも進入する。液体引込部材５２内部の電解質溶液６０が、エア抜きパス５６内を進行する電解質溶液６０よりも先に電極１８表面に到達すると、液体引込部材５２内の電解質溶液６０は、該電極１８の孔３０を介して電気浸透材１６に浸透し、一方で、電解質溶液６０によって入口側チェンバー２６の圧力が上昇する。この場合、液体引込部材５２の浸透圧力がエア抜きパス５６の浸透圧力よりも高く設定されているので、電極１８近傍のエアがエア抜きパス５６に進入し、該エア抜きパス５６内の電解質溶液６０を押し出しながら外部に排出され、あるいは、ガス抜き部材４４を介して外部に排出される。
【０１０４】
一方、電気浸透材１６に浸透した電解質溶液６０は、入口側電極１８側より出口側電極２０側に速やかに浸透し、該電気浸透材１６内部では、電解質溶液６０で充填される。
【０１０５】
このような状態で、直流電源３４より各電極１８、２０に直流電圧を印加すると、各電極１８、２０間に形成される電界に基づいて電気浸透材１６内の電解質溶液６０が電極２０側に移動し、電極２０の孔３２を介して出口側チェンバー２８に排出される。
【０１０６】
出口側チェンバー２８に排出された電解質溶液６０は、バブル隔離部材４０を介して流路１４の下流側に接続された図示しないマイクロ流体チップ等の流体機器に供給される。
【０１０７】
また、前記直流電圧を印加した際に、電気化学反応によって電極１８近傍で生成された酸素ガスのバブルは、ガス抜き部材４４を介して外部に排出され、一方で、電極２０近傍で生成された水素ガスのバブルは、ガス抜き部材４２を介して外部に排出される。
【０１０８】
なお、図１では、液体引込部材５２の上流側がポンプ容器１２よりも突出しているが、液体引込部材５２及びポンプ容器１２の上流側が同一位置であっても、該液体引込部材５２の上流側が該ポンプ容器１２の内方であっても、上記したタンク又はカートリッジより電解質溶液６０が供給可能であることは勿論である。
【０１０９】
このように、第１実施形態に係る電気浸透流ポンプ１０Ａは、直流電圧の印加によって出口側電極２０近傍に水素ガスが生成しても、電気浸透材１６の下流側に配置されたバブル隔離部材４０が駆動液体や電解質溶液６０を通過させる一方で、前記水素ガスの通過を阻止する。これにより、下流側に接続されたマイクロ流体チップ等の各種流体機器に前記水素ガスが混入することを防止することができ、例えば、前記流体機器内を通過する液体の位置制御を電気浸透流ポンプ１０Ａによって正確に行うことが可能となる。
【０１１０】
また、出口側電極２０近傍で発生した水素ガスをガス抜き部材４２を介して外部に排出するので、電気浸透流ポンプ１０Ａを長時間運転した際に、出口側電極２０や電気浸透材１６へのバブルの付着によるポンプ性能の低下を抑制することができる。一方、入口側電極１８近傍で生成された酸素ガスの一部が、電気浸透材１６を通過しても、ガス抜き部材４２を介して外部に排出することができる。
【０１１１】
さらに、ガス抜き部材４４を配置することにより、電気浸透材１６及び入口側電極１８の上流側における酸素ガスの付着を阻止することができ、電気浸透流ポンプ１０のポンプ性能の劣化を抑制することができる。
【０１１２】
また、自己充填機構５０の液体引込部材５２と電気浸透材１６とが接触しているので、外部より液体引込部材５２に電解質溶液６０を充填すると、充填された電解質溶液６０が液体引込部材５２より電気浸透材１６の内部に速やかに浸透する。この状態で、前記直流電圧を電極１８、２０に印加すると、電気浸透材１６より流路１４の下流側に駆動液体や電解質溶液６０を確実に排出することが可能となる。この結果、入口側電極１８近傍にエアが存在する場合であっても、電気浸透流ポンプ１０Ａの自己充填性を確保することができる。
【０１１３】
上記した説明では、液体引込部材５２は、電気浸透材１６と接触することが駆動液体（電解質溶液６０）の自己充填の観点から望ましいが、電解質溶液６０に対する入口側電極１８の濡れ性が良好であれば、入口側電極１８を介在させる形で電気浸透材１６と液体引込部材５２とを接触させること、すなわち、液体引込部材５２と入口側電極１８とを接触させることも可能である。さらに、液体引込部材５２に対して電気浸透材１６及び入口側電極１８を接触させることも可能である。
【０１１４】
さらにまた、バブル隔離部材４０を親水性材料から構成し、バブル隔離部材４０をガスが通過するために必要なガス圧（最低バブルポイント）を１［ｋＰａ］以上とし、且つバブル隔離部材４０における流路１４の軸線方向に沿った厚みを３［ｍｍ］以下とすることにより、本実施形態の対象とするポンプ特性（寸法や圧力特性）に照らして、実際的な方法として、電極２０近傍で発生する水素ガスの流路１４下流側への流出を阻止することができる。
【０１１５】
さらにまた、ガス抜き部材４２を疎水性材料で構成し、該ガス抜き部材４２に対する駆動液体の通過圧力を前記駆動液体の運転時の最大圧力よりも小さく設定し、流路１４におけるガスの通過方向に沿ったガス抜き部材４２の厚みを３［ｍｍ］以下とすることにより、電極２０近傍で発生する水素ガスの排出を効率よく行うことができる。
【０１１６】
上述した第１実施形態に係る電気浸透流ポンプ１０Ａでは、駆動液体として電解質溶液６０を主に説明したが、他の液体を駆動液体として使用してもよいことは勿論である。この場合、直流電圧を電極１８、２０に印加すると、該電極１８、２０近傍には、前記他の液体に特有のガス成分のバブルが発生する。
【０１１７】
また、電気浸透流ポンプ１０Ａでは、電極１８、２０の形状として孔３０、３２が形成された電極としているが、ワイヤ形状の電極や多孔質体の表面に金属を蒸着して構成された電極を用いてもよいことは勿論である。なお、上記した電極１８、２０は、白金やカーボンや銀等の導電性材料から構成すると好適である。
【０１１８】
さらに、電極１８、２０では、電極１８を正極とし、電極２０を負極としているが、これは、電気浸透材１６が負に帯電する場合を想定したためであり、該電気浸透材１６が正に帯電する場合には、電極１８を負極とし、電極２０を正極としても上述した作用効果が得られることは勿論である。
【０１１９】
さらにまた、電極１８、２０に対して直流電圧を印加しているが、パルス電圧を印加してもよいことは勿論である。
【０１２０】
さらにまた、電気浸透流ポンプ１０Ａでは、ポンプ容器１２が上流側より大径部分２２及び小径部分２４の順で形成されているが、該ポンプ容器１２の形状は、上述した形状に限定されるものではないことは勿論である。例えば、ポンプ容器１２を全体的にストレート形状としたり、あるいは、上流側より小径部分及び大径部分の順で構成することも可能である。
【０１２１】
次に、第２実施形態に係る電気浸透流ポンプ１０Ｂについて、図３〜図５を参照しながら説明する。なお、図１及び図２に示した第１実施形態に係る電気浸透流ポンプ１０Ａの各構成要素と同じ構成要素については、同一の符号を付けて説明し、以下同様とする。
【０１２２】
第２実施形態に係る電気浸透流ポンプ１０Ｂは、図３に示すように、バブル隔離部材４０が出口側チェンバー２８に配置され、ガス抜き部材４２、４４及び自己充填機構５０が配設されていない点で、第１実施形態に係る電気浸透流ポンプ１０Ａ（図１及び図２参照）とは異なる。
【０１２３】
電気浸透流ポンプ１０Ｂは、入口側チェンバー２６においてガス発生への対策及び上流側の入口径が充分に大きい場合（例えば、５ｍｍ以上）であって、短時間運転しても出口側チェンバー２８における水素ガスの発生がそれ程顕著とならない場合に用いられる。
【０１２４】
電気浸透流ポンプ１０Ｂでは、出口側チェンバー２８にバブル隔離部材４０を配置することにより、流路１４の下流側に接続された各種流体機器へのバブルの流入を回避することができる。この場合、出口側チェンバー２８内部にバブルが蓄積することになるが、電気浸透流ポンプ１０Ｂの運転時間が短く且つガスの発生量が少ない場合には、前記ガスがポンプ動作に大きな影響を与えることはない。さらに、バブル隔離部材４０は、上記したバブル以外の異物を各種流体機器に流入することを防止する効果も奏する。このように、電気浸透流ポンプ１０Ｂでは、より少ない構成要素で下流側へのバブルや異物の排出を防止することができるので、より低コストで装置を製造することが可能である。
【０１２５】
なお、出口側チェンバー２８の容積を予測されるバブル発生量と比較して大きくすることにより、電気浸透流ポンプ１０Ｂを確実に動作することができることは勿論である。また、電気浸透流ポンプ１０Ｂでは、直流電圧を電極１８、２０に印加しても、該電極１８、２０近傍からガスが顕著に発生しない電気伝導度の低い駆動液体を流路１４に流すことも可能であり、このような駆動液体としては、例えば、アルコールや有機溶媒がある。
【０１２６】
また、電気浸透流ポンプ１０Ｂでは、図４に示すように、大径部分２２と小径部分２４とを別体とし、大径部分２２と小径部分２４とでバブル隔離部材４０を狭持した状態で大径部分２２と小径部分２４とを嵌合させると好適である。この場合、大径部分２２と小径部分２４との嵌合部分に図示しない疎水性のパッキン、シート又はＯリング等を介挿させると、該嵌合部分からの電解質溶液の漏出を防止することができる。
【０１２７】
また、図５に示すように、大径部分２２と小径部分２４とを別体とし、該大径部分２２又は小径部分２４に対してバブル隔離部材４０を固着した状態で、大径部分２２と小径部分２４とを溶着又は接着しても好適である。
【０１２８】
上述した電気浸透流ポンプ１０Ｂでは、ポンプ容器１２が上流側より小径部分７０、小径部分２４及び大径部分２２の順で形成されているが、該ポンプ容器１２の形状は、上述した形状に限定されるものではないことは勿論である。
【０１２９】
次に、第３実施形態に係る電気浸透流ポンプ１０Ｃについて、図６を参照しながら説明する。
【０１３０】
第３実施形態に係る電気浸透流ポンプ１０Ｃは、入口側チェンバー２６における大径部分２２と小径部分７０とがバブル隔離部材（上流側液体通過部材）７２で仕切られている点で、第２実施形態に係る電気浸透流ポンプ１０Ｂ（図３参照）とは異なる。
【０１３１】
バブル隔離部材７２は、バブル隔離部材４０と略同一の構成を有し、入口側電極１８近傍におけるガスの発生及び出口側電極２０近傍におけるガスの発生が顕著ではなく、電気浸透流ポンプ１０Ｃの運転時間が短時間である場合に用いられる。
【０１３２】
電気浸透流ポンプ１０Ｃでは、第２実施形態に係る電気浸透流ポンプ１０Ｂ（図３参照）の作用効果に加え、流路１４の上流側より電気浸透流ポンプ１０Ｃに異物やバブルが流入しても、バブル隔離部材７２において、前記異物や前記バブルの入口側チェンバー２６内部への流入を阻止する。この結果、電気浸透流ポンプ１０Ｃのポンプ性能を確保することが可能となる。
【０１３３】
次に、第４実施形態に係る電気浸透流ポンプ１０Ｄについて、図７〜図１４を参照しながら説明する。
【０１３４】
第４実施形態に係る電気浸透流ポンプ１０Ｄは、出口側電極２０近傍のポンプ容器１２の側部にガス抜き部材４２が配設されている点で、第２実施形態に係る電気浸透流ポンプ１０Ｂ（図３参照）とは異なる。
【０１３５】
電気浸透流ポンプ１０Ｄは、入口側チェンバー２６においてガスの発生が大きな問題とならない場合や、前記ガスの発生があってもバブルが自重によって入口側チェンバー２６より外部に排出可能である場合に用いられる。この場合、電気浸透流ポンプ１０Ｄの上流側には、駆動液体を流路１４に供給するリザーバが接続可能である。
【０１３６】
電気浸透流ポンプ１０Ｄでは、電極２０近傍においてガスが大量に発生しても、該ガスをガス抜き部材４２より外部に排出することが可能となるので、流路１４の下流側へのバブルの排出を阻止すると共に、電気浸透流ポンプ１０Ｄの長期運転を継続することができる。
【０１３７】
また、電気浸透流ポンプ１０Ｄでは、図８に示すように、ポンプ容器１２における出口側チェンバー２８の側部に外部と連通する複数の孔７４を形成し、該ポンプ容器１２上で各孔７４を閉塞するようにガス抜き部材４２を配設しても構わない。
【０１３８】
この場合、孔７４は、図９及び図１０に示すように、ポンプ容器１２の円周方向に沿って等間隔に形成すると、電気浸透流ポンプ１０Ｄをどのような姿勢で配置しても出口側チェンバー２８内部のガスを孔７４及びガス抜き部材４２を介して確実に外部へと排出することができるので好適である。なお、図９は、ポンプ容器１２の側部に９０［°］間隔で４つの孔７４を形成した場合を示し、図１０は、ポンプ容器１２の側部に６０［°］間隔で６つの孔７４を形成した場合を示している。
【０１３９】
また、ガス抜き部材４２についても、各孔７４に対応して複数個のガス抜き部材４２で各々閉塞してもよいし、あるいは、ポンプ容器１２側部を巻回して各孔７４を閉塞してもよい。
【０１４０】
さらに、図７及び図８では、ガス抜き部材４２を疎水性を有し且つガスを通過することが可能なプラスチック材料（例えば、ＰＴＦＥからなるガス透過性の熱収縮チューブ）で構成しているが、図１１に示すように、機械的強度がよ
り大きい多孔質セラミックスのブロックを用いてもよい。この場合、前記多孔質セラミックスは、駆動液体に対して十分に大きな最低ウォータブレークスルーポイントを備えるように予め疎水性処理を行った後に、ポンプ容器１２の側部に溶着又は接着される。
【０１４１】
また、ガス抜き部材４２に対する剛性が要求されない場合には、図１１に示す多孔質セラミックスのブロックに代えて、図１２に示す多孔質材のシート又は膜を用いてもよい。この場合、ポンプ容器１２の内側に前記シート又は膜を配置すれば、ポンプ容器１２に対する前記シート又は前記膜の固着強度を確保することができる。
【０１４２】
さらに、バブル隔離部材４０についても、図１３及び図１４に示すように、出口側電極２０と接触させると、バブル隔離部材４０、大径部分２２及び電極２０で仕切られた空間は、電極２０近傍で発生したガスをガス抜き部材４２を介して外部に排出するためのガス抜き流路となり、前記ガスをガス抜き部材４２を介して迅速に外部に排出することが可能となる。また、出口側電極２０とバブル隔離部材４０とが接触しているので、電気浸透材１６より孔３２を介して排出された駆動液体をそのままバブル隔離部材４０に浸透させて、流路１４の下流側に接続された各種流体機器に供給することが可能となる。
【０１４３】
次に、第５実施形態に係る電気浸透流ポンプ１０Ｅについて、図１５を参照しながら説明する。
【０１４４】
第５実施形態に係る電気浸透流ポンプ１０Ｅは、入口側チェンバー２６にバブル隔離部材７２が配置されている点で、第４実施形態に係る電気浸透流ポンプ１０Ｄ（図７参照）とは異なる。
【０１４５】
電気浸透流ポンプ１０Ｅは、上述した第３及び第４実施形態に係る電気浸透流ポンプ１０Ｃ、１０Ｄ（図６及び図７参照）と同様の作用効果を有し、入口側チェンバー２６内部でのガスの発生が問題とならない場合に用いられるものであり、流路１４の上流側からの異物やバブルの流入をバブル隔離部材７２で阻止することができる。
【０１４６】
次に、第６実施形態に係る電気浸透流ポンプ１０Ｆについて、図１６を参照しながら説明する。
【０１４７】
第６実施形態に係る電気浸透流ポンプ１０Ｆは、ポンプ容器１２における入口側チェンバー２６側の側部にガス抜き部材４４が配置されている点で、第５実施形態に係る電気浸透流ポンプ１０Ｅ（図１５参照）とは異なる。
【０１４８】
電気浸透流ポンプ１０Ｆは、上述した第１及び第５実施形態に係る電気浸透流ポンプ１０Ａ、１０Ｅ（図１及び図１５参照）と同様の作用効果を奏し、入口側電極１８からのガスの発生及び出口側電極２０からのガスの発生が顕著な場合に用いられるものである。この場合、入口側チェンバー２６内の圧力が電気浸透流ポンプ１０Ｅの外部圧力よりも高ければ（電気浸透流ポンプ１０の内部圧力＞外部圧力）、その圧力差によって前記ガスをガス抜き部材４４を介して外部に排出することが可能となる。
【０１４９】
次に、第７実施形態に係る電気浸透流ポンプ１０Ｇについて、図１７〜図２１を参照しながら説明する。
【０１５０】
第７実施形態に係る電気浸透流ポンプ１０Ｇは、入口側チェンバー２６にバブル隔離部材７２の代わりに自己充填機構５０が配置されている点で、第６実施形態に係る電気浸透流ポンプ１０Ｆ（図１６参照）とは異なる。なお、電気浸透流ポンプ１０Ｇにおいて、自己充填機構５０は、液体引込部材５２とエア抜きパス５６とから構成されている。
【０１５１】
電気浸透流ポンプ１０Ｇは、上述した第１及び第６実施形態に係る電気浸透流ポンプ１０Ａ、１０Ｆ（図１及び図１６参照）と同様の作用効果を奏し、入口側電極１８近傍でのガスの発生及び出口側電極２０近傍でのガスの発生が顕著で且つ電気浸透材１６に対する自己充填機能が要求される場合に用いられる。
【０１５２】
この場合、浸透圧力の大きな液体引込部材５２と浸透圧力の小さなエア抜きパス５６とを組み合わせることにより、これらの浸透圧力によって入口側チェンバー２６内部の圧力を制御することができるので、電気浸透流ポンプ１０Ｇの外部から入口側チェンバー２６に対する加圧が不要となり、入口側チェンバー２６内のエアや電極１８近傍で発生するガスを効率よく外部に排出することが可能となる。
【０１５３】
また、図１７では、エア抜きパス５６を単なる空隙としているが、図１８に示すように、液体引込部材５２よりも低い浸透圧力を有する多孔質材料（例えば、ガラス繊維）から構成してもよい。この場合、液体引込部材５２における駆動液体の浸透力が、エア抜きパス５６における前記駆動液体の浸透力よりも大きく設定されているので、液体引込部材５２に駆動液体が供給されると、該駆動液体は、液体引込部材５２内に速やかに浸透し、さらに、電極１８の孔３０を介して電気浸透材１６に迅速に浸透する。なお、前記多孔質材料は、疎水性であっても、親水性であってもよい。
【０１５４】
さらに、エア抜きパス５６について、図１８に示す浸透圧力の低い材料に代えて、図１９に示す疎水性を有し且つガス透過性を有する材料（例えば、プラスチック繊維材料）から構成してもよい。この場合、液体引込部材５２に駆動液体が充填されると、入口側チェンバー２６内部の圧力が上昇し、該入口側チェンバー２６内部のエアは、エア抜きパス５６を介して外部に排出される。
【０１５５】
さらにまた、図２０及び図２１に示すように、小径部分７０の内壁と接触するように液体引込部材５２を配置し、該液体引込部材５２内部に流路１４の軸線方向に沿って複数のエア抜きパス５６を形成してもよい。この場合、エア抜きパス５６は、疎水性を有し且つガス透過性を有する材料からなる。これにより、電気浸透流ポンプ１０Ｇの再起動時に液体引込部材５２内部が局部的に乾燥していれば、乾燥部分のエアをエア抜きパス５６を介して外部に排出することが可能となる。
【０１５６】
次に、第８実施形態に係る電気浸透流ポンプ１０Ｈについて、図２２及び図２３を参照しながら説明する。
【０１５７】
第８実施形態に係る電気浸透流ポンプ１０Ｈは、液体引込部材５２の突起７６が流路１４の上流側と入口側チェンバー２６とを仕切っている点で、第７実施形態に係る電気浸透流ポンプ１０Ｇ（図１７参照）とは異なる。
【０１５８】
図２２では、液体引込部材５２の側部に径方向に突出する突起７６が形成され、この突起７６が入口側チェンバー２６における大径部分２２と小径部分７０とを仕切っている。一方、図２３は、小径部分７０の内壁に当接するように突起７６が突出形成されている。
【０１５９】
この場合、液体引込部材５２及び突起７６は、駆動液体に対する浸透圧力が大きい親水性材料で構成し、バブル隔離部材７２（図６及び図１５）としての機能も兼ね備えている。換言すれば、液体引込部材５２及び突起７６は、上流側液体自己充填機構及び上流側液体通過部材として機能する。そのため、電気浸透流ポンプ１０内部への異物やバブルの流入を防止すると共に、自己充填機構５０の上流側の減圧によって入口側チェンバー２６より上流側にエアが逆流することを阻止することが可能となる。
【０１６０】
次に、第９実施形態に係る電気浸透流ポンプ１０Ｉについて、図２４を参照しながら説明する。
【０１６１】
第９実施形態に係る電気浸透流ポンプ１０Ｉは、流路１４の下流側にも自己充填機構５０と同様の自己充填機構（下流側流体自己充填機構）８０が形成されている点で、第８実施形態に係る電気浸透流ポンプ１０Ｈ（図２２及び図２３参照）とは異なる。
【０１６２】
この場合、自己充填機構８０は、出口側電極２０に接触する液体引込部材８２を有し、該液体引込部材８２の側部には、出口側チェンバー２８を仕切る突起８４が形成されている。ここで、液体引込部材８２は、液体引込部材５２と同様に、駆動液体に対する浸透圧力が大きい親水性材料で構成し、突起８４は、バブル隔離部材４０（図１、図３、図６、図７、図１５〜図１７、図２２及び図２３参照）としての機能も兼ね備えている。換言すれば、液体引込部材８２及び突起８４は、下流側液体自己充填機構及び下流側液体通過部材として機能する。そのため、流路１４の下流側への異物やバブルの流出を防止することが可能となる。また、入口側チェンバー２６内部のガスは、ガス抜き部材４４を介して外部に排出され、一方で、出口側チェンバー２８内部のガスは、ガス抜き部材４２を介して外部に排出される。さらに、上流側と下流側とに自己充填機構５０、８０がそれぞれ配置されているので、上流側から下流側への駆動液体の排出や、下流側から上流側への駆動液体の吸入を効率よく行うことができる。さらにまた、液体引込部材８２は、電気浸透材１６と接触することが駆動液体の自己充填の観点から望ましいが、駆動液体に対する出口側電極２０の濡れ性が良好であれば、出口側電極２０を介在させる形で電気浸透材１６と液体引込部材８２とを接触させること、すなわち、液体引込部材８２と出口側電極２０とを接触させることも可能である。さらに、液体引込部材５２に対して電気浸透材１６及び出口側電極２０を接触させることも可能である。
【０１６３】
次に、第１０実施形態に係る電気浸透流ポンプ１０Ｊについて、図２５を参照しながら説明する。
【０１６４】
第１０実施形態に係る電気浸透流ポンプ１０Ｊは、液体引込部材５２、８２に突起７６、８４が形成されていない点で、第９実施形態に係る電気浸透流ポンプ１０Ｉ（図２４参照）とは異なる。
【０１６５】
この場合でも、上流側から下流側への駆動液体の排出や、下流側から上流側への駆動液体の吸入を効率よく行うことができる。
【０１６６】
次に、第１１実施形態に係る電気浸透流ポンプ１０Ｋについて、図２６を参照しながら説明する。
【０１６７】
第１１実施形態に係る電気浸透流ポンプ１０Ｋは、入口側チェンバー２６に液体引込部材５２が形成されている点で、第４実施形態に係る電気浸透流ポンプ１０Ｄ（図７参照）とは異なる。
【０１６８】
電気浸透流ポンプ１０Ｋは、第４及び第７実施形態に係る電気浸透流ポンプ１０Ｄ、１０Ｇ（図７及び図１７参照）と同様の作用効果を有し、入口側電極１８近傍で発生したガスを、エア抜きパス５６から外部に排出することが可能である。これにより、ポンプ入口側の構成が簡素化される。すなわち、通常のポンプでは、小型化によって駆動液体のリザーバのサイズが小さくなり、この結果、外部より前記駆動液体を充填することが困難となる。これに対して、本実施形態では、駆動液体の浸透性が良好な液体引込部材５２を配置することにより、該駆動液体の充填が容易となって、リザーバの小型化を実現することができる。
【０１６９】
次に、第１２実施形態に係る電気浸透流ポンプ１０Ｌについて、図２７及び図２８を参照しながら説明する。
【０１７０】
第１２実施形態に係る電気浸透流ポンプ１０Ｌは、ガス抜き部材４２が形成されていない点で、第１１実施形態に係る電気浸透流ポンプ１０Ｋ（図２６参照）とは異なる。
【０１７１】
電気浸透流ポンプ１０Ｌは、第１１実施形態に係る電気浸透流ポンプ１０Ｋ（図２６参照）と同様の作用効果を有し、ガス抜きが不要の場合に用いられる。
【０１７２】
また、液体引込部材５２に突起７６が形成されていれば、第８実施形態に係る電気浸透流ポンプ１０Ｈ（図２２参照）と同様に、入口側チェンバー２６への異物やバブルの流入を確実に阻止することができる。
【０１７３】
次に、第１３実施形態に係る電気浸透流ポンプ１０Ｍについて、図２９及び図３０を参照しながら説明する。
【０１７４】
第１３実施形態に係る電気浸透流ポンプ１０Ｍは、バブル隔離部材４０が形成されていない点で、第１２実施形態に係る電気浸透流ポンプ１０Ｌ（図２７及び図２８参照）とは異なる。
【０１７５】
電気浸透流ポンプ１０Ｍ（図２９参照）は、第１２実施形態に係る電気浸透流ポンプ１０Ｌ（図２７及び図２８参照）と同様に、ガス抜きが不要の場合に用いられる。また、液体引込部材５２に突起７６が形成されていれば（図３０参照）、第８実施形態に係る電気浸透流ポンプ１０Ｈ（図２２参照）と同様に、入口側チェンバー２６への異物やバブルの流入を確実に阻止することができる。
【０１７６】
次に、第１４実施形態に係る電気浸透流ポンプ１０Ｎについて、図３１〜図３４を参照しながら説明する。
【０１７７】
第１４実施形態に係る電気浸透流ポンプ１０Ｎは、出口側チェンバー２８にも自己充填機構８０が配設されている点で、第１３実施形態に係る電気浸透流ポンプ１０Ｍ（図２９及び図３０参照）とは異なる。
【０１７８】
図３１では、第１２及び第１３実施形態に係る電気浸透流ポンプ１０Ｌ、１０Ｍ（図２７〜図３０参照）と同様に、ガス抜きが不要の場合に用いられる。また、液体引込部材５２に突起７６が形成されていれば（図３２参照）、第８実施形態に係る電気浸透流ポンプ１０Ｈ（図２２参照）と同様に、入口側チェンバー２６への異物やバブルの流入を確実に阻止することができる。さらに、液体引込部材８２に突起８４が形成されていれば（図３３参照）、第９実施形態に係る電気浸透流ポンプ１０Ｈ（図２４参照）と同様に、流路１４の下流側へのバブルの流出を確実に阻止することができる。
【０１７９】
さらにまた、液体引込部材５２、８２に突起７６、８４が形成されていれば（図３４参照）、入口側チェンバー２６への異物やバブルの流入や、流路１４の下流側へのバブルの流出を確実に阻止することができる。
【０１８０】
次に、第１５実施形態に係る電気浸透流ポンプ１０Ｏについて、図３５を参照しながら説明する。
【０１８１】
第１５実施形態に係る電気浸透流ポンプ１０Ｏは、第１１実施形態に係る電気浸透流ポンプ１０Ｋ（図２６参照）のより具体的な構成である。
【０１８２】
すなわち、ポンプ容器１２は、大径部分２２を含む第１部分１２ａと、小径部分２４を含む第２部分１２ｂとで構成され、第１部分１２ａ側は、上流側より第２部分１２ｂに向かって自己充填機構５０、入口側電極１８、電気浸透材１６及び出口側電極２０の順番で配置され、第２部分１２ｂ側には、電気浸透材１６及び出口側電極２０に対向して、バブル隔離部材４０及びガス抜き部材４２が配置されている。この場合、第１部分１２ａと第２部分１２ｂとを嵌合することにより、電気浸透材１６及び出口側電極２０と、バブル隔離部材４０及びガス抜き部材４２と、第１部分１２ａ及び第２部分１２ｂとで区画された閉空間が出口側チェンバー２８として形成される。
【０１８３】
ここで、自己充填機構５０の液体引込部材５２と入口側電極１８又は電気浸透材１６との間には、駆動液体吸収部材８６が配置されている。この駆動液体吸収部材８６は、液体引込部材５２が多孔質セラミックス（例えば、アルミナ）のような剛性を有する材料から構成されている場合に、液体引込部材５２にて自己充填された駆動液体を電気浸透材１６に速やかに供給できることを目的として設けられている。
【０１８４】
すなわち、駆動液体吸収部材８６は、親水性のスポンジ状の多孔質体（孔径：１０［μｍ］〜１００［μｍ］程度）、紙パルプのシート又は合成繊維のシートのような、柔軟性、吸水性、親水性及び保水性を有し、電気浸透材１６の表面や、液体引込部材５２の表面に対する密着性が良好な材料から構成される。この場合、駆動液体吸収部材８６は、一例として、１［ｍｍ］の厚みを有する親水性のシートを、液体引込部材５２（多孔質セラミックスの孔径：数十［μｍ］程度）と、電気浸透材１６（多孔質セラミックスの孔径：数十［ｎｍ］〜数［μｍ］程度）とで挟み込み、該シートを押しつぶすことにより、液体引込部材５２の表面に対する前記シートの密着性と、電気浸透材１６の表面に対する該シートの密着性とをそれぞれ高め、駆動液体吸収部材８６を介して液体引込部材５２と電気浸透材１６とを確実に接続するようにしている。
【０１８５】
これにより、液体引込部材５２にて自己充填された前記駆動液体を駆動液体吸収部材８６を介して電気浸透材１６に速やかに供給することが可能となり、ポンプ性能を向上することができる。
【０１８６】
また、駆動液体吸収部材８６は、液体引込部材５２と電気浸透材１６又は入口側電極１８とに対するクッションとしての機能も果たすので、組み立て性が向上する。
【０１８７】
なお、駆動液体に対する入口側電極１８の濡れ性が良好であれば、入口側電極１８に対する密着性が良好な材料から駆動液体吸収部材８６を構成し、入口側電極１８を介在させる形で電気浸透材１６と駆動液体吸収部材８６とを接触させること、すなわち、入口側電極１８と液体引込部材５２とで駆動液体吸収部材８６を挟み込んで、駆動液体吸収部材８６と入口側電極１８とを接触させることも可能である。この場合でも、液体引込部材５２から駆動液体吸収部材８６を介して電気浸透材１６に駆動液体を供給することが可能である。
【０１８８】
さらに、入口側電極１８及び液体引込部材５２に対する密着性が良好な材料から駆動液体吸収部材８６を構成し、入口側電極１８を介在させる形で電気浸透材１６及び入口側電極１８と駆動液体吸収部材８６とを接触させること、すなわち、電気浸透材１６及び入口側電極１８と液体引込部材５２とで駆動液体吸収部材８６を挟み込んで、駆動液体吸収部材８６と電気浸透材１６及び入口側電極１８とを接触させることも可能である。この場合でも、液体引込部材５２から駆動液体吸収部材８６を介して電気浸透材１６に駆動液体を供給することが可能である。
【０１８９】
また、入口側電極１８が、白金担持カーボン、カーボン繊維、ステンレススチール製のメッシュ等の前記駆動液体に対する濡れが良好でない材料から構成されている場合には、入口側電極１８の孔３０の孔径を大きく取り、該孔３０を介して電気浸透材１６と駆動液体吸収部材８６とを直接接触させることが望ましい。
【０１９０】
一方、第２部分１２ｂにおける出口側電極２０への対向部分のうち、流路１４が形成される中央部分は、該出口側電極２０に向かって突出する凸部９０として形成され、この凸部９０に前述したバブル隔離部材４０が配置されている。また、前記対向部分のうち凸部９０の隣接部分は、凹部８８として形成され、この凹部８８にガス抜き部材４２が配置されている。さらに、ガス抜き部材４２から前記駆動液体の下流側（図３５の左側）に向かって複数の孔７４が形成されている。
【０１９１】
なお、図３５では、本来は面一である第２部分１２ｂにおける出口側電極２０への対向部分について、その一部を凹部８８とすることにより、前記中央部分を凸部９０として形成しているが、バブル隔離部材４０が配置されている部分の周囲を凹部８８として形成し、この凹部８８にガス抜き部材４２を配置することも可能である。すなわち、バブル隔離部材４０が配置される前記中央部分は、少なくとも、凹部８８となっていないことが望ましい。
【０１９２】
ここで、バブル隔離部材４０として、例えば、親水性ポリエーテルスルホン膜（孔径０．２［μｍ］）を採用すると、３００［ｋＰａ］程度の最低バブルポイントが得られる。この場合、バブル隔離部材４０は、出口側チェンバー２８と流路１４の小径部分２４側（流路１４の下流側）との間を遮るように、凸部９０上に接着されている。
【０１９３】
また、ガス抜き部材４２として、例えば、ＰＴＦＥ多孔質膜（孔径０．１［μｍ］）を採用すると、３００［ｋＰａ］以上の最低ウォータブレークスルーポイントが得られる。この場合、ガス抜き部材４２は、出口側チェンバー２８と複数の孔７４とを遮るように、凹部８８上に接着されている。
【０１９４】
なお、凸部９０に対するバブル隔離部材４０の接着方法や、凹部８８に対するガス抜き部材４２の接着方法には、超音波溶着、熱溶着、接着剤、レーザ溶接等がある。
【０１９５】
孔７４は、出口側チェンバー２８からガス抜き部材４２を介して排出されるガスが所定量通過できる程度の大きさで十分であり、出口側チェンバー２８内の圧力に基づく前記ＰＴＦＥ膜（ガス抜き部材４２）の引っ張り荷重が過大とならないように、円形状やスリット状（例えば、孔径０．１［ｍｍ］〜２［ｍｍ］程度）に加工することが望ましい。また、前記ＰＴＦＥ膜に対するダメージを防止するために、孔７４と前記ＰＴＦＥ膜との接触箇所（孔７４の上流側）を面取りすることも好ましい。
【０１９６】
さらに、流路１４の方向に沿った出口側チェンバー２８のギャップ、換言すれば、電気浸透材１６又は出口側電極２０とガス抜き部材４２とのギャップ（間隔）や、電気浸透材１６又は出口側電極２０とバブル隔離部材４０とのギャップ（間隔）は、電気浸透流ポンプ１０Ｏの特性上、重要なパラメータであるが、これらのギャップは、１［μｍ］〜３［ｍｍ］とすることが望ましい。すなわち、表面張力が重力に比べて支配的となるときの前記ギャップが３［ｍｍ］程度であり、一方で、流路１４における流路抵抗が著しく大となる前記ギャップの大きさが１［μｍ］未満程度であるので、３［ｍｍ］を上限値とし、１［μｍ］を下限値とした前述の範囲内で、前記各ギャップを適宜設定（例えば、１［ｍｍ］程度）することが電気浸透流ポンプ１０Ｏの特性上好ましいからである。
【０１９７】
このように、前記ギャップを前述した範囲内にて、ある程度小さくすることにより、電気浸透流ポンプ１０Ｏ内に発生したバブルの大きさを制限することができるので、ポンプ動作が安定化すると共に、出口側チェンバー２８からガス抜き部材４２及び孔７４を介して外部にガスが排出されたときのポンプ流量の変動を抑制することが可能となる。さらに、電気浸透流ポンプ１０Ｏ内部のデッドボリュームを小さくすることもできる。さらにまた、前記ギャップの大きさを前述した範囲内に設定することにより、ガスの排出に対する重力の影響が小さくなるので、電気浸透流ポンプ１０Ｏをどの方向に向けて配置してもポンプ特性は変化せず、この結果、ポンプ性能に関してオリエンテーションフリーとすることが可能となる。例えば、電気浸透流ポンプ１０Ｏの下流側（小径部分２４側）を上向きに配置することも可能である。
【０１９８】
また、出口側チェンバー２８内にバブルがあると流路１４内の駆動液体の流れが閉塞化したり、前記駆動液体の流量が変動するという問題が発生するが、凹部８８上にガス抜き部材４２を配置することにより、凸部９０よりも凹部８８に溜まりやすいバブルを効率よくガス抜き部材４２から孔７４を介して外部に排出することができる。すなわち、前記バブルは、凸部９０上のバブル隔離部材４０を通り抜けることができないので、該凸部９０の側部に設けられた凹部８８の領域に移動し、出口側チェンバー２８の内圧によりガス抜き部材４２から孔７４を介して外部に排出される。
【０１９９】
従って、第１５実施形態に係る電気浸透流ポンプ１０Ｏでは、液体引込部材５２に自己充填された駆動液体が駆動液体吸収部材８６で効率よく吸収されて、電気浸透材１６に速やかに供給され、この状態において、直流電源３４から入口側電極１８及び出口側電極２０に直流電圧を印加すると、電気浸透材１６内の前記駆動液体が出口側チェンバー２８からバブル隔離部材４０を介して外部に供給される。また、出口側チェンバー２８内のバブルは、ガス抜き部材４２から孔７４を介して外部に排出される。
【０２００】
なお、上記の第１５実施形態に係る電気浸透流ポンプ１０Ｏでは、流路１４における電気浸透材１６又は第１電極１８の上流側にて、液体引込部材５２と、電気浸透材１６及び／又は第１電極１８とで駆動液体吸収部材８６を挟み込む場合について説明したが、この構成に代えて（あるいは、この構成に加えて）、電気浸透材１６又は第２電極２０の下流側にて、液体引込部材８２（図２４、図２５、図３１〜図３４参照）と、電気浸透材１６及び／又は第２電極２０とで駆動液体吸収部材８６を挟み込む場合でも、上述した効果が同様に得られることは勿論である。
【０２０１】
また、上記の第１５実施形態に係る電気浸透流ポンプ１０Ｏでは、流路１４の方向に沿った電気浸透材１６又は出口側電極２０とガス抜き部材４２とのギャップや、電気浸透材１６又は出口側電極２０とバブル隔離部材４０とのギャップを、１［μｍ］〜３［ｍｍ］とした場合について説明したが、この構成に代えて（あるいは、この構成に加えて）、電気浸透材１６又は入口側電極１８とガス抜き部材４４（図１、図１６、図１７及び図２２〜図２５参照）とのギャップや、電気浸透材１６又は入口側電極１８とバブル隔離部材７２（図６、図１５及び図１６参照）とのギャップを、１［μｍ］〜３［ｍｍ］とした場合でも、上述した効果が同様に得られることは勿論である。
【０２０２】
次に、第１６実施形態に係る電気浸透流ポンプ１０Ｐについて、図３６を参照しながら説明する。
【０２０３】
第１６実施形態に係る電気浸透流ポンプ１０Ｐは、流路１４の上流側（入口８７）と、下流側（出口８９）とを共に一面９１側（図３６の右側）に設け、その対向する他面９３側（図３６の左側）にガス抜き部材４２及び複数の孔７４を設けた点で、第１〜第１５実施形態に係る電気浸透流ポンプ１０Ａ〜１０Ｐ（図１〜図３５参照）とは異なる。
【０２０４】
これにより、第１６実施形態に係る電気浸透流ポンプ１０Ｐでは、基板等の設置面に対する該電気浸透流ポンプ１０Ｐの取付性（接続性）が向上すると共に、ポンプ全体の高さを低くすることができる。従って、電気浸透流ポンプ１０Ｐは、例えば、エレクトロニクス機器における平面実装用の小型ポンプとして好適である。
【０２０５】
次に、第１５実施形態に係る電気浸透流ポンプ１０Ｏ（図３５参照）が適用された液体供給装置１１０について、図３７を参照しながら説明する。
【０２０６】
この液体供給装置１１０は、底部が閉塞され且つ上部が開放された筒状の液体容器９２（例えば、深さ１５［ｃｍ］）内にメタノール又は水で希釈されたメタノール水等の液体燃料９４が充填され、前記上部に電気浸透流ポンプ１０Ｏが下流側（小径部分２４側）を上向きに配置したものである。この場合、液体容器９２内には、液体燃料９４に対する吸収性が良好で且つ液体引込部材５２に連結された液体燃料吸収部材９６が配置されている。
【０２０７】
液体燃料吸収部材９６は、親水性で且つ気孔率の大きな多孔質材、あるいは、繊維状の材料（例えば、天然パルプ繊維による保水材）であることが望ましいが、液体引込部材５２と同一材料で構成してもよいし、該液体引込部材５２に採用されている材料よりも保水量の大きな材料で構成することも好ましい。
【０２０８】
ここで、液体燃料吸収部材９６に吸収された液体燃料９４は、該液体燃料吸収部材９６を介して液体引込部材５２に自己充填され、さらに、駆動液体吸収部材８６を介して電気浸透材１６に供給される。この状態において、直流電源３４から入口側電極１８及び出口側電極２０に直流電圧を印加すると、電気浸透材１６内の液体燃料９４が出口側チェンバー２８からバブル隔離部材４０を介して外部に供給され、出口側チェンバー２８内のバブルは、ガス抜き部材４２から孔７４を介して外部に排出される。
【０２０９】
前述したメタノール又はメタノール水等の液体燃料９４は、燃料電池システムの燃料として使用されるので、より簡単な構成で、液体容器９２内の液体燃料９４を前記燃料電池システムに供給することができる。
【０２１０】
また、メタノール１００［％］の溶液の液体燃料９４では、供給時に電気浸透流ポンプ１０Ｏ内にバルブが発生しても、前記メタノールでの溶解度が大きく全て溶解されてしまうので、前述したガス抜き構造（ガス抜き部材４２及び孔７４）は特に設けなくても構わない。これに対して、前記メタノール水の液体燃料９４では、水の存在によってポンプ電流が大きくなり、また、ガスの溶解度も小さいことから、バブルの発生を回避することはできないが、電気浸透流ポンプ１０Ｏにガス抜き部材４２及び孔７４のガス抜き構造が設けられているので、発生した前記バブルを効率よく電気浸透流ポンプ１０Ｏから外部に排出することができる。
【０２１１】
さらに、電気浸透流ポンプ１０Ｏがオリエンテーションフリーのポンプであるので、どのような姿勢でも液体燃料９４の供給が可能であり、モバイル機器等の使用にも適している。また、液体燃料吸収部材９６を液体容器９２内部に配置することにより、該液体容器９２に充填されている液体燃料９４を全て外部に供給することができる。
【０２１２】
なお、液体容器９２に対して電気浸透流ポンプ１０Ｏ及び液体燃料吸収部材９６を着脱可能にしておけば、前記燃料電池システム側に電気浸透流ポンプ１０Ｏ及び液体燃料吸収部材９６に組み込み、液体容器９２のみを取り替えることにより、液体燃料９４の補充が容易となる。
【０２１３】
また、上述した液体供給装置１１０では、一例として、第１５実施形態に係る電気浸透流ポンプ１０Ｏ（図３５参照）を適用した場合について説明したが、第１〜第１４、第１６実施形態に係る電気浸透流ポンプ１０Ａ〜１０Ｎ、１０Ｐ（図１〜図３４及び図３６参照）を用いて、液体容器９２内の液体燃料９４を外部に供給することも可能であることは勿論である。
【０２１４】
なお、本発明に係る電気浸透流ポンプ及び液体供給装置は、上述の実施の形態に限らず、本発明の要旨を逸脱することなく、種々の構成を採り得ることは勿論である。
【図面の簡単な説明】
【０２１５】
【図１】第１実施形態に係る電気浸透流ポンプの断面図である。
【図２】図１の自己充填機構による自己充填機能を説明するための要部断面図である。
【図３】第２実施形態に係る電気浸透流ポンプの断面図である。
【図４】図３の大径部分と小径部分との嵌合状態を示す部分拡大断面図である。
【図５】図３の大径部分と小径部分との接合状態を示す部分拡大断面図である。
【図６】第３実施形態に係る電気浸透流ポンプの断面図である。
【図７】第４実施形態に係る電気浸透流ポンプの断面図である。
【図８】図７のガス抜き部材の構成を示す要部断面図である。
【図９】図８のＩＸ−ＩＸ線に沿った縦断面図である。
【図１０】図８のＸ−Ｘ線に沿った縦断面図である。
【図１１】図７のガス抜き部材の他の構成を示す要部断面図である。
【図１２】図７のガス抜き部材の他の構成を示す要部断面図である。
【図１３】図７のバブル隔離部材の他の構成を示す要部断面図である。
【図１４】図７のバブル隔離部材の他の構成を示す要部断面図である。
【図１５】第５実施形態に係る電気浸透流ポンプの断面図である。
【図１６】第６実施形態に係る電気浸透流ポンプの断面図である。
【図１７】第７実施形態に係る電気浸透流ポンプの断面図である。
【図１８】図１７の自己充填機構の他の構成を示す要部断面図である。
【図１９】図１７の自己充填機構の他の構成を示す要部断面図である。
【図２０】図１７の自己充填機構の他の構成を示す要部断面図である。
【図２１】図２０のＸＸＩ−ＸＸＩ線に沿った縦断面図である。
【図２２】第８実施形態に係る電気浸透流ポンプの断面図である。
【図２３】図２２の他の構成を示す断面図である。
【図２４】第９実施形態に係る電気浸透流ポンプの断面図である。
【図２５】第１０実施形態に係る電気浸透流ポンプの断面図である。
【図２６】第１１実施形態に係る電気浸透流ポンプの断面図である。
【図２７】第１２実施形態に係る電気浸透流ポンプの断面図である。
【図２８】図２７の他の構成を示す断面図である。
【図２９】第１３実施形態に係る電気浸透流ポンプの断面図である。
【図３０】図２８の他の構成を示す断面図である。
【図３１】第１４実施形態に係る電気浸透流ポンプの断面図である。
【図３２】図３１の他の構成を示す断面図である。
【図３３】図３１の他の構成を示す断面図である。
【図３４】図３１の他の構成を示す断面図である。
【図３５】第１５実施形態に係る電気浸透流ポンプの断面図である。
【図３６】第１６実施形態に係る電気浸透流ポンプの断面図である。
【図３７】第１５実施形態に係る電気浸透流ポンプが適用された液体供給装置の断面図である。
【図３８】従来技術に係る電気浸透流ポンプを示す要部断面図である。
【図３９】従来技術に係る他の電気浸透流ポンプを示す要部断面図である。
【図４０】本出願人が案出した電気浸透流ポンプを示す要部断面図である。
【符号の説明】
【０２１６】
１０、１０Ａ〜１０Ｐ…電気浸透流ポンプ
１２…ポンプ容器                  １４…流路
１６…電気浸透材                  １８…入口側電極
２０…出口側電極                  ２６…入口側チェンバー
２８…出口側チェンバー            ３０、３２…孔
３４…直流電源                    ４０、７２…バブル隔離部材
４２、４４…ガス抜き部材          ５０、８０…自己充填機構
５２、８２…液体引込部材          ５４…囲繞部材
５６…エア抜きパス                ９２…液体容器
９６…液体燃料吸収部材            １１０…液体供給装置
【図１】
2006311796.tif 000003
【図２】
2006311796.tif 000004
【図３】
2006311796.tif 000005
【図４】
2006311796.tif 000006
【図５】
2006311796.tif 000007
【図６】
2006311796.tif 000008
【図７】
2006311796.tif 000009
【図８】
2006311796.tif 000010
【図９】
2006311796.tif 000011
【図１０】
2006311796.tif 000012
【図１１】
2006311796.tif 000013
【図１２】
2006311796.tif 000014
【図１３】
2006311796.tif 000015
【図１４】
2006311796.tif 000016
【図１５】
2006311796.tif 000017
【図１６】
2006311796.tif 000018
【図１７】
2006311796.tif 000019
【図１８】
2006311796.tif 000020
【図１９】
2006311796.tif 000021
【図２０】
2006311796.tif 000022
【図２１】
2006311796.tif 000023
【図２２】
2006311796.tif 000024
【図２３】
2006311796.tif 000025
【図２４】
2006311796.tif 000026
【図２５】
2006311796.tif 000027
【図２６】
2006311796.tif 000028
【図２７】
2006311796.tif 000029
【図２８】
2006311796.tif 000030
【図２９】
2006311796.tif 000031
【図３０】
2006311796.tif 000032
【図３１】
2006311796.tif 000033
【図３２】
2006311796.tif 000034
【図３３】
2006311796.tif 000035
【図３４】
2006311796.tif 000036
【図３５】
2006311796.tif 000037
【図３６】
2006311796.tif 000038
【図３７】
2006311796.tif 000039
【図３８】
2006311796.tif 000040
【図３９】
2006311796.tif 000041
【図４０】
2006311796.tif 000042